(57)【要約】【課題】トラフィック増加によるネットワーク設備の増設を抑制し、トラフィックオフロードでのモビリティを実現するシステムを提供する。【解決手段】第１のネットワーク（ＣＮ）と第２のネットワーク（ＰＤＮ）間に配設されたスイッチと、前記第１のネットワークへのトラフィックのオフロードの有無を判定し、オフロードする場合、前記第１のネットワークを迂回するオフロード用の経路の設定を、前記スイッチに対して行うオフロード判定手段とを備え、トラフィックのオフロード時に、前記スイッチは、オフロード対象のパケットを前記オフロード用の経路に転送する。【選択図】図１
2019135865.tif 000002
【特許請求の範囲】
【請求項１】
第１のネットワークと第２のネットワークとの間に設けられたスイッチ手段と、
前記第２のネットワーク側から前記第１のネットワーク側へ流れる第１のパケットをオフロードするか否か判定し、オフロードする場合はオフロード用経路に前記第１のパケットを流すように前記スイッチ手段を制御するオフロード判定手段と、
を備える、ネットワークシステム。
【請求項２】
通信端末と前記第１のネットワークとの間に設けられたオフロード手段を備え、
前記オフロード判定手段は、前記通信端末側から前記第１のネットワーク側へ流れる第２のパケットをオフロードするか否か判定し、オフロードする場合は前記オフロード用経路に前記第２のパケットを流すように前記オフロード手段を制御する、請求項１に記載のネットワークシステム。
【請求項３】
前記オフロード用経路は、前記第１のネットワークを迂回する経路である、ことを特徴とする請求項１又は２に記載のネットワークシステム。
【請求項４】
前記オフロード判定手段は、前記第１のパケットをオフロードしないと判断した場合、当該第１のパケットを前記第１のネットワークに流すように前記スイッチ手段を制御する、請求項１乃至３のいずれか１項に記載のネットワークシステム。
【請求項５】
前記オフロード判定手段は、前記第２のパケットをオフロードしないと判断した場合、当該第２のパケットを前記第１のネットワークに流すように前記オフロード手段を制御する、請求項２に記載のネットワークシステム。
【請求項６】
第１のネットワークと第２のネットワークとの間に設けられたスイッチ手段と、パケットをオフロードするか否か判定し、オフロードする場合はオフロード用経路に前パケットを流すように前記スイッチ手段を制御するオフロード判定手段とを含むネットワークシステムによるトラフィック制御方法であって、
オフロード手段が前記第２のネットワーク側から前記第１のネットワーク側へ流れる第１のパケットをオフロードするか否か判定するステップと、
前記第１のパケットをオフロードする場合はオフロード用経路に当該パケットを流すように前記スイッチ手段を制御するステップと、
を含む、トラフィック制御方法。
【請求項７】
前記ネットワークシステムが、通信端末と前記第１のネットワークとの間に設けられたオフロード手段をさらに備え、
前記オフロード手段が前記通信端末側から前記第１のネットワーク側へ流れる第２のパケットをオフロードするか否か判定するステップと、
前記第２のパケットをオフロードする場合は前記オフロード用経路に当該パケットを流すように前記オフロード手段を制御するステップと、
をさらに含む、請求項６に記載のトラフィック制御方法。
【発明の詳細な説明】
【技術分野】
【０００１】
［関連出願についての記載］
本発明は、日本国特許出願：特願２０１２−２５２４２６号（２０１２年１１月１６日出願）に基づくものであり、同出願の全記載内容は引用をもって本書に組み込み記載されているものとする。
本発明は、ネットワークシステムと方法と装置並びにプログラムに関する。
【背景技術】
【０００２】
スマートフォン等の高機能移動端末の普及は、移動通信ネットワークにおけるトラフィックの増大（爆発）を招いている。ネットワーク利用端末数の増加とトラフィックの増大等によるネットワーク帯域不足やレスポンス低下等に対応するために、ネットワーク設備の増大、拡張等が必要とされる。その結果、コストの増大を招いている。このため、トラフィックを別のネットワークにオフロードすることによりコストの削減を図る手法が各種提案されている。
【０００３】
例えば３ＧＰＰ（3rd Generation Partnership Project）仕様において、ＬＩＰＡ（Local IP Access)では、フェムトセル又はホームセル等の基地局（Ｈ（ｅ）ＮＢ）に接続されているプライベートネットワーク（例えば宅内ＬＡＮ（Local Area Network）等のホームネットワーク（Home Networks）や企業（enterprise）ネットワーク等）上のホストと移動端末ＵＥ（User Equipment）との間のトラフィックを、コアネットワークには転送しない。代わりに、当該トラフィックをＨ（ｅ）ＮＢからローカルゲートウェイ（Ｌ−ＧＷ）を介してプライベートネットワークにオフロードする（非特許文献１：５．２．３参照）。なお、Ｈ（ｅ）ＮＢは、ＨＮＢ(Home Node B)、又はＨｅＮＢ（Home-evolved Node B)を表している。
【０００４】
３ＧＰＰ仕様のＳＩＰＴＯ（Selected IP Traffic Offload）（選択されたIPトラフィックのオフロード）においては、特定のＡＰＮ（Access Point Name）、特定のアプリケーションのトラフィックをオフロード対象としたり、あるいは、宛先IP（Internet Protocol）アドレスに基づきオフロードの制御を可能としている。
【０００５】
ＳＩＰＴＯのソリューション４（非特許文献１：５．５参照）では、ＵＭＴＳ（Universal Mobile Telecommunication Systems）マクロセルやＨＮＢサブシステム（フェムトセル）に適用されるＳＩＰＴＯとして、図１９に示すような構成が開示されている。図１９に示すように、ＲＮＣ（Radio Network Controller）／ＨＮＢとＳＧＳＮ（Serving GPRS(General Packet Radio System) Support Node）間にＴＯＦ（Traffic  Offload）を備え、Ｇｉサブセットでインターネットとインタフェースする。なお、図１９は、非特許文献１のFigure 5.5.2.1に基づく図である。図１９において、ＴＯＦはＩｕ−ＰＳに備えられ、ＲＮＣとＳＧＳＮに標準のＩｕ−ＰＳインタフェースを提供する。Ｉｕは、ＲＮＣとコアネットワーク（ＭＳＣ（mobile Switching Center:移動交換局）又はＳＧＳＮ）間のインタフェースであり、Ｉｕ−ＰＳはＲＮＣとパケット（Packet Switched)コアネットワーク間のインタフェースである。Ｇｉは、ＧＧＳＮ（Gateway GPRS Support Node）とＰＤＮ（Packet Data Network）間のインタフェースである。
【０００６】
Ｉｕ−ＰＳ上のＴＯＦは、ＮＡＳ（Non Access Stratum：非アクセス層）、ＲＡＮＡＰ(Radio Access Network Application Part)メッセージインスペクションを行い、加入者情報を取得し、ローカルＵＥオフロードコンテキストを確立する。またＴＯＦは、ＰＤＰ（Packet Data Protocol）コンテキスト情報を取得し、ローカルセッション・オフロードコンテキストを確立する。ＴＯＦは、上記情報に基づき、例えばアタッチとＰＤＰアクティベーション手順中に、オフロードを行うか否かを決定する。オフロードにあたり、ＴＯＦは、ＧＴＰ−Ｕ（GPRS Tunneling Protocol for User plane）トンネル（ＵＥとＧＧＳＮ間のトンネル）からアップリンクトラフィックを引き出し、例えばＮＡＴ（Network Address Translation）ゲートウェイ等でＮＡＴを実行し、トラフィックをオフロードする。ここで、ＮＡＴは、ルータ等において、プライベートＩＰアドレスからグローバルＩＰアドレスへのアドレス変換を行う。あるいは、ＩＰアドレスとＴＣＰ（transmission control protocol）／ＵＤＰ(user datagram protocol)ポート番号をセットで変換する。またＴＯＦは、ダウンリンクオフロードトラフィックに逆ＮＡＴを施しＧＴＰ−Ｕトンネルに挿入して戻す。
【０００７】
このように、ＳＩＰＴＯのソリューション４は、ユーザ、ＡＰＮ、サービスタイプ、ＩＰアドレス等に基づき、パケットインスペクションとＮＡＴによりオフロードを決定し、ＲＮＣとＳＧＳＮ間のインタフェース（ユーザプレーン）であるＩｕ−ＰＳインタフェース上でデータトラフィックをオフロードする。なお、ＬＴＥ（Long Term Evolution）には、ローカル・パケットデータネットワーク・ゲーウェイ（Ｌ−ＰＧＷ（PDN(Packet Data Network) Gateway)）の追加が必要である。
【０００８】
ＳＩＰＴＯのソリューション５では（非特許文献１：５．６参照）、マクロセル、ＨＮＢに対応し、ＵＭＴＳ、ＬＴＥの両方に対応可能であり（また複数ＰＤＮ接続に対応・非対応のＵＥに対応）、サービングゲートウェイＳＧＷ（ＲＮＣ）と接続されるＬ−ＰＧＷ（L−ＧＧＳＮ）を介して、インターネット等に接続する（非特許文献１のFigure 5.6.3.2 5.6.3.3、5.6.3.4参照）。なお、ＳＧＷはＳ−ＧＷとも表記される。
【０００９】
あるいは、トラフィックを他のネットワークにオフロードさせる場合もある。例えばWi-Fi（Wireless Fidelity）接続機能を備えたスマートフォン、タブレット端末等の移動端末に対して、Wi-Fiアクセスポイント等、無線ＬＡＮ(Wireless Local Area Network)等から、インターネットに接続させる（Wi-Fiオフロードともいう）。この場合、移動端末（ＵＥ）がWi-Fiアクセスポイントが設置された場所を外れると、通信接続できなくなる。すなわち、移動端末（ＵＥ）が移動時の接続性やセキュリティに問題がある。なお、無線ＬＡＮが、ＰＧＷ（PDN Gateway：Ｐ−ＧＷとも表記される）、ＧＧＳＮを介してＰＤＮに接続される構成もある（非特許文献２：４．２参照）。
【先行技術文献】
【非特許文献】
【００１０】
【非特許文献１】3GPP TR 23.829, V10.01 (2011-10),5.2.3, 5.5,5.6
【非特許文献２】3GPP TS 23.402, V11.4.0 (2012-09), 4.2
【非特許文献３】3GPP TS 23.401, V11.3.0 (2012-09), 5.3
【非特許文献４】3GPP TS 23.228, V11.6.0 (2012-09), Figure 4.0
【発明の概要】
【発明が解決しようとする課題】
【００１１】
以下に関連技術の分析を与える。
【００１２】
Wi-Fiオフロード等では、モビリティが実現できず、安全性等の点で問題がある。
【００１３】
また、ＳＩＰＴＯのソリューション４等によるＴＯＦではモビリティが実現できない。
【００１４】
上記した関連技術には、例えば移動端末で動作するアプリケーション等に応じてフロー単位にトラフィックオフロードを制御する点に関する開示はなく示唆もない。さらに、スマートフォン等高機能移動端末の増大に対して、移動端末のスケーラビリティに対応させたトラフィックオフロードを実現するための手法の実現が望まれる。
【００１５】
したがって、本発明は、上記問題点に鑑みて創案されたものであって、その主たる目的は、トラフィック増加によるネットワーク設備の増設を抑制し、トラフィックオフロードでのモビリティを実現するシステム、方法、装置、プログラムを提供することにある。
【課題を解決するための手段】
【００１６】
本発明によれば、第１のネットワークと第２のネットワーク間に配設されたスイッチ手段と、
前記第１のネットワークへのトラフィックのオフロードの有無を判定し、オフロードする場合、前記第１のネットワークを迂回するオフロード用の経路の設定を、前記スイッチ手段に対して行うオフロード判定手段と、
を備え、
前記第１のネットワークへのトラフィックのオフロード時に、オフロード対象のパケットは、前記オフロード用の経路と前記第２のネットワーク間を、前記スイッチ手段を介して転送される、システムが提供される。
【００１７】
本発明の別の側面によれば、第１のネットワークへのトラフィックをオフロードさせるオフロード手段と、
前記第１のネットワークへのトラフィックのオフロードの指示を前記オフロード手段に対して行うオフロード判定手段と、
を備え、
前記オフロード手段は、前記オフロードの指示を受け、受信パケットに対してオフロードの有無を判断し、オフロード時には、前記パケットを、前記第１のネットワークを迂回するオフロード用の経路を転送する、システムが提供される。
【００１８】
本発明のさらに別の側面によれば、第１のネットワークへのトラフィックのオフロードの有無を判定し、オフロードする場合、前記第１のネットワークを迂回するオフロード用の経路の設定を、前記第１のネットワークと第２のネットワーク間に配設されたスイッチ手段に対して行い、前記第１のネットワークへのトラフィックのオフロード時に、オフロード対象のパケットは、前記オフロード用の経路と前記第２のネットワーク間を、前記スイッチ手段を介して転送される方法が提供される。
【００１９】
本発明のさらに別の側面によれば、第１のネットワークへのトラフィックをオフロードさせるオフロード手段にて、オフロードの有無を判定するオフロード判定手段からのオフロードの指示を受けると、受信パケットに対してオフロードの有無を判断し、オフロード時には、前記パケットを、前記第１のネットワークを迂回するオフロード用の経路を転送する、方法が提供される。
【００２０】
本発明のさらに別の側面によれば、トラフィックのオフロード時に、オフロード経路の設定要求を、オフロード判定手段を備えたノードに送信し、受信パケットに対してオフロードの有無を判断し、オフロード時には、前記パケットを、コアネットワークを迂回するオフロード用の経路にパケットを転送する基地局装置が提供される。
【００２１】
本発明のさらに別の側面によれば、コアネットワークへのトラフィックのオフロードの指示を行うオフロード判定手段からのオフロード指示を受け、
受信パケットに対してオフロードの有無を判断し、オフロード対象のパケットを、前記コアネットワークを迂回するオフロード用の経路に転送する基地局装置が提供される。
【００２２】
本発明のさらに別の側面によれば、第１のネットワークへのトラフィックをオフロードするオフロード手段からオフロード用の経路設定要求を受けると、前記第１のネットワークと第２のネットワークの間に接続するスイッチに対して、前記第１のネットワークを迂回して、前記第２のネットワークに接続するオフロード用の経路の設定を行う、制御装置が提供される。
【００２３】
本発明のさらに別の側面によれば、第１のネットワークへのトラフィックをオフロードするオフロード手段からオフロード用の経路設定要求を受けると、前記オフロード手段に対してオフロード指示を送信し、前記オフロード手段では、受信したパケットがオフロード対象のパケットである場合、設定したオフロード用の経路へオフロードさせる、制御装置が提供される。
【００２４】
本発明のさらに別の側面によれば、基地局装置を構成するコンピュータに、
移動端末から無線ベアラを介して到着したパケットがオフロード対象に該当すると判断した場合、第１のネットワークを迂回するオフロード経路の接続要求を、直接又は第１のネットワークを経由して、前記第１のネットワークと第２のネットワーク間に配設されたスイッチに送信する処理と、
前記移動端末のモビリティを管理するノードから所定のコマンドを受けると、前記オフロード経路の切断要求を、前記スイッチに送信する処理と、を実行させるプログラムが提供される。本発明によれば、該プログラムを記録したコンピュータ読み出し可能な記録媒体（半導体メモリ、磁気ディスク／光ディスク）が提供される。
【００２５】
本発明のさらに別の側面によれば、第１のネットワークと第２のネットワーク間に配設されたスイッチを制御する制御装置を構成するコンピュータに、
基地局装置から、前記第１のネットワークを迂回するオフロード経路の接続要求を、前記スイッチを介して受け取ると、前記基地局装置から前記オフロード経路に転送されたパケットを前記第２のネットワーク向けに転送し、且つ、前記第２のネットワークからのパケットを前記オフロード経路を介してノードに転送するように、前記スイッチに設定し、前記オフロード経路の接続要求に対する接続応答を前記基地局装置に返す処理と、
前記基地局装置から、前記オフロード経路の切断要求を、前記スイッチを介して受け取ると、前記第１のネットワークの関門ノードを前記第２のネットワークに接続するように前記スイッチに設定し、前記オフロード経路の切断要求に対する切断応答を前記基地局装置に返す処理と、を実行させるプログラムが提供される。本発明によれば、該プログラムを記録したコンピュータ読み出し可能な記録媒体（半導体メモリ、磁気ディスク／光ディスク）が提供される。
【発明の効果】
【００２６】
本発明によれば、トラフィック増加によるモバイルネットワーク設備の増設等を抑制可能とし、トラフィックオフロードでのモビリティを実現している。
【図面の簡単な説明】
【００２７】
【図１】本発明の概要（一形態）を説明する図である。
【図２】本発明の一実施形態を説明する図である。
【図３】本発明の一実施形態を説明する図である。
【図４】本発明の一実施形態の動作例を説明する図である。
【図５】本発明の一実施形態の動作例を説明する図である。
【図６】本発明の一実施形態の動作例を説明する図である。
【図７】本発明の一実施形態の動作例を説明する図である。
【図８】本発明の一実施形態の動作例を説明する図である。
【図９】本発明の一実施形態の動作例を説明する図である。
【図１０】本発明の一実施形態の動作例を説明する図である。
【図１１】本発明の一実施形態の動作例を説明する図である。
【図１２】本発明の一実施形態の動作例を説明する図である。
【図１３】本発明の一実施形態の動作例を説明する図である。
【図１４】本発明の一実施形態の動作例を説明する図である。
【図１５】本発明の別の実施形態を説明する図である。
【図１６】本発明のさらに別の実施形態を説明する図である。
【図１７】本発明の一実施形態におけるオフロード機能付基地局の構成を例示する図である。
【図１８】本発明の一実施形態におけるOFCの構成を例示する図である。
【図１９】3GPP SIPTO Solution 4を説明する図である。
【図２０】（A）、（B）は本発明の概要を説明する図である。
【図２１】本発明の概要（別の形態）を説明する図である。
【発明を実施するための形態】
【００２８】
本発明の好ましい形態の一つについて説明する。図２０（Ａ）を参照すると、第１のネットワーク（ＮＷ１）と第２のネットワーク（ＮＷ２）間に配設されたスイッチ手段（ＳＷ）と、第１のネットワーク（ＮＷ１）へのトラフィックのオフロードの有無を判定し、オフロードする場合、第１のネットワーク（ＮＷ１）を迂回するオフロード用の経路の設定を前記スイッチ手段（ＳＷ）に対して行うオフロード判定手段を備えている。前記第１のネットワーク（ＮＷ１）へのトラフィックのオフロード時に、オフロード対象のパケットは、前記オフロード用の経路と前記第２のネットワーク（ＮＷ２）間を、前記スイッチ手段（ＳＷ）を介して転送される。第１のネットワーク（ＮＷ１）へのトラフィックをオフロードさせるオフロード手段は、トラフィックのオフロード時に、前記オフロード用の経路にパケットを転送する。前記オフロード用の経路に転送されたパケットは前記スイッチ手段（ＳＷ）を介して前記第２のネットワーク（ＮＷ２）に送信される。
【００２９】
図２０（Ａ）において、第１のネットワーク（ＮＷ１）へのトラフィックオフロード時に、オフロード手段は、オフロード判定手段に対して、オフロード経路設定要求を送信する。オフロード判定手段は、オフロード経路設定要求に応答して、オフロード用の経路の設定を、第１と第２のネットワーク間のスイッチ（ＳＷ）に対して行う。これにより、オフロード手段と第２のネットワーク（ＮＷ２）間は、オフロード経路とスイッチ手段（ＳＷ）を介して接続され、移動端末と第２のネットワーク（ＮＷ２）間で送受されるパケットは、第１のネットワーク（ＮＷ１）を迂回する前記オフロード用の経路上を転送される。第１のネットワーク（ＮＷ１）と、第２のネットワーク（ＮＷ２）とは、一例として、それぞれ、コアネットワーク（Core Network：ＣＮ）と、パケットデータネットワーク（Packet Data Network:ＰＤＮ）としてもよい。本実施形態において、オフロード判定手段、オフロード手段は、例えばオープンフローコントローラ（ＯＦＣ）、オフロード機能付き基地局にそれぞれ実装してもよい。あるいは、オフロード判定手段は、移動端末のモビリティを管理するノードであるＭＭＥ（Mobility Management Entity）やＳＧＳＮ等に実装してもよい。この場合、オフロード手段を、オフロード機能付き基地局、あるいは、ＳＩＰＴＯゲートウェイ等に実装してもよい。なお、本発明において、オフロード判定手段とオフロード手段を別々のノードに実装する構成に制限されるものでないことは勿論である。例えば、実施形態の変形例として、オフロード判定手段、オフロード手段を一体化して、１つのネットワークノード、例えば基地局に実装するようにしてもよい。
【００３０】
別の形態において、図２０（Ｂ）を参照すると、第１のネットワーク（ＮＷ１）へのトラフィックをオフロードさせるオフロード手段と、第１のネットワーク（ＮＷ１）へのトラフィックのオフロードの指示を、前記オフロード手段に対して行うオフロード判定手段とを備えている。前記オフロード手段は、前記オフロードの指示を受け、受信パケットに対してオフロードの有無を判断し、オフロード対象の前記受信パケットを、第１のネットワーク（ＮＷ１）を迂回するオフロード用の経路に転送する。本実施形態において、オフロード手段は、オフロード判定手段に対して、オフロード経路設定要求を送信する。オフロード判定手段は、オフロードの指示を、オフロード手段に対して通知する。また、オフロード判定手段は、第１のネットワーク（ＮＷ１）を迂回する前記オフロード用の経路の設定を、第１のネットワーク（ＮＷ１）と第２のネットワーク（ＮＷ２）間のスイッチ手段（ＳＷ）に対して行う。これにより、前記オフロード手段と前記第２のネットワーク（ＮＷ２）間は、前記オフロード経路と前記スイッチ手段（ＳＷ）を介して接続される。
【００３１】
本発明のいくつかの実施形態によれば、コアネットワーク（ＣＮ）へのトラフィックをオフロードさせる機能を備えたノード（例えば図１の１０２、図１５の１２４、図１６の１３３）と、前記コアネットワークの関門ノード（例えば図１、図１６のＳ／Ｐ−ＧＷ（ＳＧＷ／ＰＧＷ）１０３のＰＧＷ(PDN Gateway）、図１５のＰＧＷ１０３Ｐ）と外部パケットデータネットワーク（図１、図１５、図１６のＰＤＮ１０４）間に配設されたスイッチ（ＯＦＳ）（図１、図１５、図１６の１０５）とを備えている。トラフィックのオフロード時には、前記スイッチ（ＯＦＳ）は、前記ノード（例えば図１の１０２、図１５の１２４、図１６の１３３）を、前記コアネットワーク迂回用のオフロード経路（図１の１０７、図１５の１０７、１２７、図１６の１３７）を介して前記外部パケットデータネットワーク（図１、図１５、図１６の１０４）に接続する。非オフロード時には、前記ノード（例えば図１の１０２、図１５の１２４、図１６の１３３）は、前記コアネットワーク（ＣＮ）に接続し、前記スイッチは、前記コアネットワーク（ＣＮ）の関門ノード（例えば図１、図１６のＳ／Ｐ−ＧＷ１０３のＰＧＷ、図１５のＰＧＷ１０３Ｐ）を前記外部パケットデータネットワーク（図１、図１５、図１６のＰＤＮ１０４）に接続する。さらに、後に詳説されるように、いくかの形態によれば、前記オフロード機能付基地局間での基地局間ハンドオーバ、さらに、オフロード機能付基地局を移動元／移動先とし、オフロード機能を具備しない基地局を移動先／移動元とする基地局間ハンドオーバを実現する手段を提供している。なお、ここで、パケットは、データ列の単位に対応しており、例えばレイヤ３（ネットワーク層）のパケット、レイヤ２（データリンク層）の場合のフレーム等を含む。
【００３２】
＜実施形態１＞
本発明の一実施形態について図１を参照して説明する。なお、図１は、図２０（Ａ）を参照して説明した形態に対応し、第１、第２のネットワークを、それぞれ、コアネットワーク、ＰＤＮ（Packet Data Network）としている。この実施形態によれば、ＰＤＮ（Packet Data Network）１０４とＰＧＷ間の参照ポイント（ＲＰ： Reference Point）であるＳＧｉ（２Ｇ／３Ｇ（第２／３世代）ではＰＤＮとＧＧＳＮ間の参照ポイントであるＧｉ）に対応させてスイッチ（ＯＦＳ）１０５を配置し、トラフィックオフロード（ＴＯＦ）時には、移動端末１０１からのアップリンクデータトラフィックは、無線アクセスネットワーク（ＲＡＮ：Radio Access Network）のトラフィックオフロードノードでオフロードされ、コアネットワーク（ＣＮ：例えばＬＴＥ／ＥＰＣ（Long Term Evolution/Evolved Packet Core）ネットワーク）を迂回して、スイッチ１０５を介して、ＰＤＮ１０４に転送される。無線アクセスネットワーク（ＲＡＮ）のトラフィックオフロードノードは、例えばＥ−ＵＴＲＡＮ(Evolved Universal Terrestrial Random Access Network）の場合、ＴＯＦ機能付ｅＮＢ（evolved Node B）（図１の１０２）、ＵＴＲＡＮ（Universal Terrestrial Random Access Network）の場合、例えば、前述したＩｕ−ＰＳ上のＴＯＦ（図１５の１２４））である。ＰＤＮ１０４からのダウンリンクトラフィックは、該スイッチ１０５から、コアネットワーク（ＣＮ）を迂回して、無線アクセスネットワーク（ＲＡＮ）のトラフィックオフロードノードに転送され、移動端末１０１に無線送信される。なお、非オフロード時には、移動端末１０１からのアップリンクデータトラフィックは、無線アクセスネットワーク（ＲＡＮ）、コアネットワーク（ＣＮ）、該スイッチ１０５を介してＰＤＮ１０４に転送される。またＰＤＮ１０４からのダウンリンクトラフィックは該スイッチ１０５からコアネットワーク（ＣＮ）、無線アクセスネットワーク（ＲＡＮ）を介して移動端末１０１に送信される。
【００３３】
本発明の一実施形態において、スイッチ１０５はオープンフロースイッチ（ＯＦＳ）で構成される。さらに、前記オープンフロースイッチ（ＯＦＳ）を制御するオープンフローコントローラ１０６を備えている。オープンフローコントローラ１０６は、トラフィックオフロード時のフローを、オープンフロースイッチ（ＯＦＳ）のフローテーブルに設定する。なお、オープンフロースイッチ（ＯＦＳ）のフローテーブルに設定されるフローは、非オフロード時の経路（ＰＧＷ）をデフォルト値としてもよい。
【００３４】
＜オープンフロー＞
以下では、オープンフロー（Ｏｐｅｎ  Ｆｌｏｗ）について概説しておく。ＯｐｅｎＦｌｏｗは、ＯｐｅｎＦｌｏｗスイッチコンソーシアムが提唱した、ネットワーク制御技術のことであり、物理ポート番号（Ｌ１）、ＭＡＣ（Media Access Control）アドレス（Ｌ２）やＩＰアドレス（Ｌ３）、ポート番号（Ｌ４）などの識別子の組み合わせによって決定される一連の通信を「フロー」として定義し、フロー単位での経路制御を実現する。転送ノードとして機能するオープンフロースイッチ（OpenFlow Switch：ＯＦＳと略記される）は、オープンフローコントローラ（OpenFlow Controller：ＯＦＣと略記される）から追加又は書き換えを指示されるフローテーブルに従って動作する。フローテーブルには、フロー毎に、ルール（パケットのヘッダ情報と照合されるフィルタリング条件）、統計情報（カウンタとして指定できる。パケット数、バイト数、フローがアクティブな期間等のフロー統計情報を含む）、ルールにマッチしたパケットに対して適用する処理を規定したアクション（フロー処理、パケット転送(Forward)、廃棄（Drop）、パケットの特定のフィールドを書き換える（Modify-Field）の修正等）を含む。パケット転送(Forward)には、例えば
・スイッチの特定のポートへの転送、
・スイッチの全てのポートへの転送、
・ＯＦＣに転送等
が選択される。
【００３５】
ＯＦＳは、パケットを受信すると、ＯＦＳ内のフローテーブルを検索し、パケットのヘッダ情報と、ルールとのマッチ（照合）を行う。照合されるヘッダフィールドとしてレイヤ１（Ｌ１）からレイヤ４（Ｌ４）の任意の組み合わせを使うことができる。その一例を以下に示す。
【００３６】
L1：Ingress Port（スイッチの物理ポート番号）；
L2：Ether src(送信元MACアドレス)、Ether dst(宛先MACアドレス）、Etherタイプ、VLAN（Virtual Local Area Network）-id、VLANプライオリティ；
L3：IP src(送信元IPアドレス)、IP dst(宛先IPアドレス)、IPプロトコル種別、TOS（Type Of Service）値；
L4:TCP（Transmission Control Protocol）／UDP(User Datagram Protocol) src port（送信元L4ポート番号）、TCP／UDP dst port（宛先L4ポート番号）
【００３７】
受信したパケットのヘッダ情報が、あるフローエントリのルール（条件）にマッチする場合、当該ルールに対応するアクション（当該フローエントリのアクション欄）に定義された処理（当該ルールがマッチしたときにパケットに対して実行される処理）を実行する。フローテーブルを検索した結果、受信したパケットのヘッダ情報にマッチするルールを有するフローエントリが見つからなかった場合、ＯＦＳは、ＯＦＣへセキュアチャネルを用いて受信パケットを転送する。ＯＦＣは、前記受信パケットの送信元・送信先情報に基づき、経路計算を行い、受信パケットの転送経路を決定し、転送経路上の全てのＯＦＳに対して、決定した転送経路を実現するためにフローテーブルを設定する（フローセットアップ）。該フローセットアップを行ったＯＦＣは、受信パケットを例えばフローの出口となるＯＦＳに転送し、前記フローの出口となる前記ＯＦＳを介して送信先に送信する。以降、前記受信パケットと同じフローに属するパケットのヘッダ情報は、前記フローセットアップが行われたＯＦＳのフローテーブル内のルールにマッチし、設定されたフローテーブル（ルールとアクション）に従って、前記パケットの転送経路上の各ＯＦＳを転送され、送信先端末に送られる。ＯＦＳでフローテーブルを検索した結果、マッチしないパケットは、あるフローの最初に転送されるパケットである場合が多い。このようなパケットは、総称して「ファーストパケット」ともいう。
【００３８】
図２は、本発明の一実施形態を例示する図である。移動端末（ＵＥ）(User Equipment）１０１と、サービス圏内のＵＥ１０１に無線リンクで接続し、トラフィックのオフロード機能を備えた基地局ｅＮＢ（eNode B)（オフロード機能付き基地局ｅＮＢは、「eNB+TOF」とも略記される）１０２と、局舎１１０を備えている。局舎１１０は、Ｓ／Ｐ−ＧＷ１０３、ＯＦＳ１０５、ＯＦＣ１０６、認証（Authentication）、認可(Authorization)、課金(Accounting)を制御するＡＡＡサーバとして機能するＲＡＤＩＵＳ（Remote Authentication Dial In User Service）サーバ１０８、レイヤ３で中継制御を行うルータ１０９を備え、ルータ１０９はＰＤＮ１０４に接続されている。ルータ１０９は中継に際してＭＡＣアドレスを終端し、該ルータが送出するＭＡＣフレームは、該ルータ１０９のポートのＭＡＣアドレスとなる。図２において、ＭＭＥ（Mobility Management Entity）、ＨＳＳ（Home Subscriber Server）、ＰＣＲＦ(Policy and Charging Rules Function)等は省略されている。図２において、特に制限されないが、レイヤ２スイッチ（Ｌ２ＳＷ）を、局舎１１０に対して１つ下の階層の地方局舎（オフロード機能を備えた基地局（eNB+TOF）１０２と局舎１１０の間）に配置してもよい。なお、図２では、簡単のため、ルータ１０９近傍のＯＦＳ１０５には１つのＰＧＷが接続されているが、レイヤ２スイッチとして機能するＯＦＳに複数のＰＧＷを接続する構成とし、スケーラブルなシステム構成（加入者増大／縮小、負荷増大／縮小に対応してシステムの拡張／縮減）としてもよいし、冗長構成としてもよい。ＯＦＳを用いたことで、ネットワークのスケーラビリティの向上を容易化している。
【００３９】
ＯＦＣ１０６は、オフロード機能付基地局（eNB+TOF）１０２からの通知でＵＥ１０１毎のオフロード経路１０７を追加し（図２のeNB+TOF１０２とＯＦＳ１０５間の経路１０７）、ＯＦＳ１０５に設定する。ＯＦＳ１０５は、オフロード時は、ＯＦＣ１０６からセットアップされたフローテーブル（フロー毎に設定されたルールとアクション）に従い、オフロード機能付きの基地局（eNB+TOF）１０２でオフロードされたアップリンクパケットをルータ１０９に転送してＰＤＮ１０４に送信し、ＰＤＮ１０４からルータ１０９を介して転送されたダウンリンクパケットをオフロード機能付きの基地局（eNB+TOF）１０２に転送する。ＯＦＳ１０５は、非オフロード時は、ＯＦＣ１０６からセットアップされたフローテーブルに従い、オフロード機能付きの基地局（eNB+TOF）１０２からＳ／Ｐ−ＧＷ１０３に転送されたアップリンクパケットをルータ１０９に転送してＰＤＮ１０４に送信し、ＰＤＮ１０４からルータ１０９を介して転送されたダウンリンクパケットをＳ／Ｐ−ＧＷ１０３を介してオフロード機能付きの基地局（eNB+TOF）１０２に転送する。図２において、ＲＡＤＩＵＳサーバは例えばＰＧＷと接続して認証を行うが、同時にＯＦＳ１０５にも接続されている。これは、後述するように、ＯＦＳ１０５が、ＰＧＷとＲＡＤＩＵＳサーバ間で転送されるパケットをフックして、ＯＦＣ１０６に転送することを模式的に示している。また図１、図２では、単に簡単のために、ＳＧＷ（Serving Gateway）とＰＧＷは一体に収容した構成として示しているが、ＳＧＷとＰＧＷとは互いに別々に配置してもよいことは勿論である。
【００４０】
この実施形態によれば、例えば移動端末（ＵＥ）１０１でのＷｅｂ閲覧、メールの取得、Ｔｗｅｅｔ、決済、動画閲覧等、アプリケーション毎に応じて、ネットワークを選択可能としている。ＯＦＣ１０６では、フロー単位で通信網を選択することで、ＵＥ１０１が通信サービスを受ける場合等において、最適な通信ネットワークの利用を可能としている。
【００４１】
特に制限されないが、以下では、
無線アクセスネットワーク（ＲＡＮ）をＥ−ＵＴＲＡＮ、
コアネットワーク（ＣＮ）をＥＰＣ／ＬＴＥネットワーク、
とした場合の適用例を説明する。図３は、図１、図２の構成の一例を例示した図である。図３において、図１、図２と同一の要素には同一の参照符号が付されている。以下、各要素を概説しておく。ｅＮＢ１０２ａは、Ｓ１−ＵインタフェースによりＳＧＷに接続され、Ｓ１−ＭＭＥインタフェースによりＭＭＥに接続される。
【００４２】
基地局１０２−１、１０２−２は、上記ｅＮＢ１０２ａに、本発明に従いトラフィックオフロード（ＴＯＦ）機能を具備したものであり、前述したように、ｅＮＢ＋ＴＯＦと表記される。
【００４３】
Ｓ／Ｐ−ＧＷ１０３のＳＧＷ（Serving Gateway）は、ユーザデータパケットをルーチングして転送し、同時に、ｅＮＢ間ハンドオーバ中のユーザプレーンのモビリティアンカとして機能する。ＳＧＷはＬＴＥと他の３ＧＰＰ技術の間のモビリティのためのアンカとして機能する（例えばＳ４インタフェースを終了させ、２Ｇ／３ＧシステムとＰＧＷとの間のトラフィックを中継する）。アイドル状態のＵＥでは、ＳＧＷはダウンリンクデータパスを終了し、ダウンリンクデータが到達したときに、ページングをトリガする。ＳＧＷは、ＵＥのコンテキスト（例えばＩＰベアラサービスのパラメータや、ネットワーク内部ルーティング情報等）を管理及び保存する。
【００４４】
ＭＭＥ（Mobility Management Entity）１１２は、ＬＴＥアクセスネットワークにおいて、移動端末（ＵＥ）のモビリティ管理ノードとして機能し、例えば、アイドルモードの移動端末（ＵＥ）のトラッキング、ページング、ベアラの活性化、非活性化、初期アタッチ時点でのＳＧＷ、ＰＧＷの選択、ＳＧＷ、ＰＧＷ間のトンネル確立の管理、ＬＴＥ内ハンドオーバ時の移動端末（ＵＥ）用のＳＧＷの選択、ＨＳＳと連携したユーザ認証等を行う。ＭＭＥは、メッセージ交換のためのＳ１−ＡＰ（アプリケーション）プロトコルを適用するＳ１−ＭＭＥインタフェースを介して基地局（ｅＮＢ）に接続される。さらに、ＭＭＥ１１２はＳ１１インタフェースを介してＳＧＷに接続される。
【００４５】
Ｓ／Ｐ−ＧＷ１０３のＰＧＷ(ＰＤＮ Gateway)は、外部ＰＤＮへの移動端末（ＵＥ）の接続を実現する。移動端末（ＵＥ）は複数のＰＤＮにアクセスするための２つ以上のＰＧＷとの接続性を同時に有することができる。ＰＧＷはトラフィックを適切なＱｏＳ（Quality of Service）レベルにマッピングするために、アタッチした移動端末（ＵＥ）に対して、例えばＩＰアドレスの割り当て（払い出し）、ポリシ適用、パケットフィルタリング（例えばディープパケットインスペクション、パケットスクリーニング）を実行する。なお、図３では、ＳＧＷとＰＧＷを一体に備えた構成が開示されているが、別々に配置してよいことは勿論である。ＰＧＷは、ＰＧＷとＳＧＷが同じＰＬＭＮ（Public Land Mobile Network）に位置している場合には、Ｓ５インタフェースを介してＳＧＷに接続され、ＳＧＷが外部の（在圏）ＰＬＭＮに位置している場合には、Ｓ８インタフェースを介してＳＧＷに接続される。
【００４６】
ＰＣＲＦ(Policy and Charging Rules Function)１１３は、ポリシ及び課金規則を制御する。ＰＣＲＦ１１３は、ＰＧＷとＳ７インタフェースで接続される。
【００４７】
ＨＳＳ（Home Subscriber Server）/ＡＡＡ（Authentication, Authorization and Accounting)１１４は、加入者情報の管理、及び認証を行う。ＨＳＳサーバとＡＡＡサーバを別に配置してもよい。図３のＡＡＡサーバは、図２のＲＡＤＩＵＳサーバ１０８であってもよい。図５以降の動作説明図では、ＲＡＤＩＵＳとして示される。
【００４８】
図３に示す構成例では、ＰＧＷとＰＤＮ間のインタフェースＳＧｉとして、ＳＧｉ１、ＳＧｉ２の２セットを備え、それぞれに対応してＯＦＳ１、ＯＦＳ２が配設されている。さらに、ＯＦＳ１、ＯＦＳ２にそれぞれ接続され、ＯＦＳ１、ＯＦＳ２をそれぞれ制御するＯＦＣ１、ＯＦＣ２を備えている。ＯＦＳ１、ＯＦＳ２は、それぞれ、ルータ１０９−１、ルータ１０９−２を介して、ＰＤＮ１０４に接続される。なお、ＰＤＮ１０４のサーバ１０４−１はＷｅｂサーバ等であってもよいし、ＯｐｅｎＦｌｏｗベースのトラフィックオフロード機能の接続性等をテストし、各種設定を行うテストサーバ等であってもよい。
【００４９】
図３において、ｅＮＢ１０２−１、１０２−２と、ＯＦＳ１、ＯＦＳ２間に、レイヤ２スイッチ（Ｌ２ＳＷ）１１１、１１１−２を介して接続されるパス（ｅＮＢ１０２−１、１０２−２に接続する破線をそれぞれ一点鎖線、二点鎖線で示す）が、Ｓ／Ｐ−ＧＷ１０３を迂回するオフロード経路を表している。ＯＦＣ１は、ＰＣＲＦ１１３に接続され、オフロード処理されたパケットカウント等を課金情報として通知する。ＯＦＣ２も同様の処理を行う。なお、ＯＦＳを導入するＳＧｉ毎に、ＯＦＣ〜ＯＦＳ〜ＭＢＨ（Mobile Back Haul：基地局とコアネットワークを接続する）〜基地局（eNB+TOF）に、ＶＬＡＮ（Virtual LAN）を追加し（図３の一点鎖線、二点鎖線、破線等で示す）、同一のＳＧｉに接続するＶＬＡＮを分けるようにしてもよい。例えばＶＬＡＮ毎に異なるＩＰアドレス空間を割当てる。この場合、基地局は複数のＩＰアドレスを持つ。例えば、ＶＬＡＮに割当てられるＩＰアドレス空間が、一点鎖線で示すＶＬＡＮ：192.168.0.0/22、破線で示すＶＬＡＮ：192.168.4.0/22、二点鎖線で示すＶＬＡＮ：192.168.8.0/22である場合、ｅＮＢ１０２−１には、例えばＩＰアドレス192.168.0.10と192.168.4.10が割り当てられる。
【００５０】
なお、図３において、レイヤ２スイッチ（Ｌ２ＳＷ）１１１とＳ／Ｐ−ＧＷ１０３間のルータ１１５は削除してもよい。ルータ１１５は、レイヤ２スイッチ（Ｌ２ＳＷ）１１１に接続する基地局群を、図示されない他のＳ／Ｐ−ＧＷへルーチングする。また、レイヤ２スイッチ（Ｌ２ＳＷ）１１１−２は削除してもよい。図３において、ＯＦＣ１、ＯＦＳ１、ＯＦＣ２、ＯＦＳ２は同一のＩＰアドレスを有している。ＳＧｉ１、ＳＧｉ２がそれぞれＯＦＳ１、ＯＦＳ２に接続されている。なお、アドレスの重複等がない場合、１つのＯＦＳに複数のＰＧＷを接続する構成としてもよい。また、ＯＦＣに接続されるＯＦＳは簡単のため１つが示されているが、同一のＯＦＣに複数のＯＦＳを接続する構成としてもよいことは勿論である。またレイヤ２スイッチ（Ｌ２ＳＷ）１１１、１１１−２をＯＦＳで構成してもよいことは勿論である。
【００５１】
次に、図３を参照して説明した実施形態の動作について図４から図１４のそれぞれの図を参照して説明する。なお、ＬＴＥでは、移動端末（ＵＥ）と基地局（ｅＮＢ）の接続状態は、ＲＲＣ（Radio Resource Control）のアイドル（RRC idle）と、接続状態（RRC connected）がある。ＵＥとコアネットワーク（ＭＭＥ）との接続状態は、ＥＣＭ（EPS(Evolved Packet System） Connection Management）アイドル（ECM Idle）と、ＥＣＭ接続状態（ECM Connected）がある。なお、ＵＥアドレスには、IPv4でのＩＰアドレス枯渇のため、プライベートＩＰアドレスが用いられる。同一の基地局が、重複するプライベートアドレス空間を持つＥＰＣにつながらない（プライベートアドレスが重複しない）。
【００５２】
図４は、ＵＥ（図２の１０１）のネットワークへの登録処理（アタッチ処理）時の動作手順（シーケンス）を説明する図である。図４において、ｅＮＢは図３のｅＮＢ１０２ａに対応し、eNB+TOF１、eNB+TOF２は、図３のオフロード機能付きの基地局（eNB+TOF1）１０２−１、オフロード機能付きの基地局（eNB+TOF2）１０２−２にそれぞれ対応する。ＲＡＤＩＵＳは図２の１０８、ルータ（Router）は、図２の１０９、図３の１０９−１又は１０９−２に対応する。図５から図１４のそれぞれについても同様である。
【００５３】
ＵＥからのベアラ確立要求（アタッチリクエスト）で、ＵＥとＳ／Ｐ−ＧＷ間でベアラを確立する（１）。なお、手順（１）のベアラ確立処理では、ＵＥはアタッチ要求メッセージをＭＭＥへ送信する。ＭＭＥは、加入者情報を登録したＨＳＳから取得した認証情報を基にユーザ認証を行い、ＵＥが前記アタッチ要求メッセージで通知したＡＰＮ（Access Point Name）を基に、ＳＧＷ、ＰＧＷを選択し、選択したＳＧＷ、ＰＧＷに対してベアラ設定要求を送信する。ＰＧＷは、ＩＰアドレスの払い出しを行い、さらにＳＧＷ、ＰＧＷ間のベアラを設定する。ＳＧＷは、ＭＭＥにベアラ設定応答を返す。ＭＭＥは、ｅＮＢに対してコンテキスト設定要求を送信し、ＵＥとｅＮＢ間の無線ベアラを設定する。ＵＥは、アタッチ完了応答をＭＭＥに送信する。ｅＮＢは、ＭＭＥに対して、コンテキスト設定応答を返す。ＭＭＥは、コンテキスト設定応答に基づき、ベアラ更新要求をＳＧＷに送信し、ＳＧＷはベアラ更新応答をＭＭＥに返す。
【００５４】
図４に示すように、ＯＦＣ（図２の１０６）は、認証を行うＲＡＤＩＵＳサーバ（図２の１０８）の中継ノードとして機能する。すなわち、ＯＦＳ（図２の１０５）は、ＲＡＤＩＵＳクライアントであるアクセスポイント（例えばＰＧＷ）からＲＡＤＩＵＳサーバへ転送される要求パケットをフックする（２）。その際、ＯＦＳ（図２の１０５）は、ＲＡＤＩＵＳサーバへ転送される要求パケットを、例えばフィルタリングして取り込む。ＯＦＳ（図２の１０５）において、該要求パケットは、もともと、ＲＡＤＩＵＳサーバ宛のパケットであり、当該パケットのヘッダ情報は、当該ＯＦＳのフローテーブルのルールとマッチしないため、該要求パケットは、例えば「ファーストパケット」としてセキュアチャネルを用いて、ＯＦＣに転送される（３）。該要求パケットは、ＯＦＣから再びＯＦＳを介してＲＡＤＩＵＳサーバに転送される（４、５）。あるいは、該要求パケットをＯＦＳからＯＦＣに転送するようにフローテーブルを設定するようにしてもよい（この場合、セキュアチャネルは用いられない）。
【００５５】
ＲＡＤＩＵＳクライアントであるＰＧＷからＲＡＤＩＵＳサーバへのＲＡＤＩＵＳ要求パケット（ＵＤＰ（User Datagram Protocol））には、例えばユーザ名、暗号化パスワード、クライアントのＩＰアドレス、ポートＩＤが含まれる。ＲＡＤＩＵＳサーバは、認証要求を受信すると、ログイン要求と一致するユーザデータベースを調べる。ＲＡＤＩＵＳサーバはユーザの接続要求、認証を行い、必要な設定情報等を応答として返す。
【００５６】
ＲＡＤＩＵＳサーバからＰＧＷへの応答パケットもＯＦＣでフックされ（６）、ＯＦＣ（図２の１０６）に転送される（７）。ＯＦＣ（図２の１０６）ではパケットインスペクションを行い、端末ＩＤ（ＩＭＳＩ（International Mobile Subscriber Identity)）、ＩＰアドレス、ＶＬＡＮ（Virtual Local Area Network）の対応関係を記録する（８）。なお、ＶＬＡＮは、ポートベース（レイヤ２スイッチの各ポート毎にグルーピングを行う）、ＭＡＣアドレスベース（ＭＡＣアドレス毎にＶＬＡＮを決定する）、あるいはプロトコルベース等により、接続ノードのグループ化が行われる。
【００５７】
ＲＡＤＩＵＳサーバからの該応答パケットは、ＯＦＣ（図２の１０６）、ＯＦＳ（図２の１０５）を介してＰＧＷに転送される（９、１０）。なお、ＲＡＤＩＵＳサーバとＲＡＤＩＵＳクライアント（ＰＧＷ）間では共通鍵方式で詐称、改竄を防いでいる。このため、ＯＦＣは、ＲＡＤＩＵＳサーバと共通の鍵情報を保持する。ＲＡＤＩＵＳサーバをＡＡＡサーバとして配置した場合、ＰＧＷはＲＡＤＩＵＳサーバと例えばＳ６ｃインタフェースで接続される。
【００５８】
その後、ＰＧＷは、ＩＰアドレスを払い出し、該ＩＰアドレスをＵＥに通知する（１１）。  
【００５９】
＜オフロード経路の追加＞
図５は、ＵＥが、オフロード機能付き基地局（eNB+TOF）の配下で通信を開始した場合の動作（オフロード経路の追加）を説明する図である。なお、前提として、異なるＳＧｉに接続するＯＦＳ（ＯＦＣ）のプライベートアドレスは重複しないものとする（例えば同一の基地局が、重複するプライベートアドレス空間を持つＥＰＣには繋がらない場合である）。
【００６０】
ＵＥがeNB+TOF１配下で通信を開始する。eNB+TOFには、オフロード対象のＱＣＩ（QOS(Quality of Service) Class Indicator）が事前にeNB+TOF１、２に設定されている。また、ＯＦＣ宛てＩＰアドレス（プライベートＩＰアドレス）がeNB+TOF１、２に設定されている。
【００６１】
なおVoLTE（Voice Over LTE）（IR.92仕様）のQCIを以下に示す。
音声ベアラ（GBR（Guaranteed Bit Rate））：QCI＝１、
ビデオベアラ（GBR）：QCI＝２、
ビデオベアラ（非GBR）：QCI＝７、
VoLTEの制御信号であるSIP（Session Initiation Protocol）信号用デフォルトベアラ：QCI=５、
Internet Connectivity:  QCI=8、又は９.
例えばQCI=8、９の無線ベアラは、eNB+TOFでオフロード判定対象とされる。
【００６２】
eNB+TOF１はＵＥからのパケットを受信する（１）。オフロード対象のＱＣＩの無線ベアラから最初のＩＰパケット（例えばDNS(Domain Name Service)のQueryパケット(DNSサーバへのクエリ)、TCP SYNパケット（TCP接続確立時にクライアントからサーバに転送されるパケット））を受信すると、eNB+TOF１は、送信元ＩＰアドレスを取得する。アップリンクパケットはＳ１経由で送ってもよい。
【００６３】
eNB+TOF１は、ＯＦＣ宛に接続要求（Connection Request）をＵＤＰ（User datagram Protocol）で送る（２）。接続要求（Connection Request）には、 例えばeNB+TOF１のアドレス、ＴＭＳＩ(Temporary Mobile Subscriber Identity)、ＵＥのＩＰアドレス、Ｅ−ＵＴＲＡＮでの無線ベアラ識別子Ｅ−ＲＡＢＩＤ（Radio Access Bearer ID）が含まれる。ＩＰｖ４のアドレス枯渇等を考慮して、ＵＥアドレスはプライベートアドレスとされる。接続要求（Connection Request）は、eNB+TOF１から直接OFSに転送され、OFSからOFCへの接続要求（Connection Request）の転送は、「パケットＩＮ」としてセキュアチャネルを用いて転送される。あるいは、ＯＦＣからＯＦＳへのフローテーブルのルール設定によって、当該接続要求（Connection Request）パケットをＯＦＣに転送するようにしてもよい（この場合、ＯＦＳは、イベント毎の「パケットＩＮ」ではなく、フローに従ってＯＦＣに転送する）。
【００６４】
ＯＦＣは、eNB+TOF１との接続要求（Connection Request）処理を行い（ＯＦＳのフローテーブルへのセットアップ）、ＯＦＣはＵＥのＩＰアドレスからＩＭＳＩ（International Mobile Subscriber Identity）を特定する（３）。
【００６５】
ＯＦＣは、eNB+TOF１宛てに接続応答(Connection ACK）を送る（４）。接続応答(Connection ACK）には、ＴＭＳＩ、ＵＥ  ＩＰアドレスが含まれる。
【００６６】
ＯＦＣは、ダウンリンクパケット（ＤＬ）用に、当該パケットのヘッダの宛先アドレスにＭＡＣの書き換えエントリをＯＦＳのフローテーブルに設定する。ＯＦＣは、ＯＦＳのフローテーブルのフローエントリに、アップリンク、ダウンリンクのカウンタ用エントリを追加する（５）。オフロードされるアップリンク、ダウンリンクパケットに対して、課金情報を収集する。
【００６７】
トラフィックオフロードが開始される。ＵＥはeNB+TOF１にデータパケットを送信する（６）。eNB+TOF１は、ＵＥからのパケットがオフロード対象のＱＣＩの無線ベアラからのパケットである場合には、該パケットを、ＯＦＳ宛に転送する（７）。なお、オフロード対象でないパケットは、Ｓ／Ｐ−ＧＷのＳＧＷに転送し、ＰＧＷからＯＦＳを介してルータに転送される。ＯＦＳは転送されたパケットをルータ（Router)からＰＤＮに送信する（８）。オフロードの判定はパケットのＱＣＩに基づき行うようにしてもよい。
【００６８】
ＰＤＮからルータ（Router）を経由して受信したパケットは、ＯＦＳに転送され（９）、当該ＵＥ向けのパケットは、ＯＦＳからeNB+TOF１に転送され（１０）、eNB+TOF１からＵＥに無線送信される（１１）。
【００６９】
＜オフロード経路の追加２＞
図６は、図５を参照して説明した、ＵＥが、eNB+TOF配下で通信を開始した場合のオフロード経路の追加について、プライベートアドレスが重複している地域に適用されるシーケンスを示す図である。この場合、基地局が重複するプライベートアドレス空間を持つＥＰＣにつながる。例えば、異なるＳＧｉに接続するＯＦＳ、ＯＦＣのプライベートＩＰアドレスが重複する。この場合、eNB+TOFは、間接接続要求（indirect Connect Request）（ｉＣＲとの略記される）をＯＦＣに送り、ＯＦＣから送信される応答からオフロード経路を特定する。HOA(Home Of Address)とCOA(Care-Of-Address)の到達可能性を確認するMobile IPｖ６の「Return Routability」に対応する。
【００７０】
eNB+TOF１、eNB+TOF２には、オフロード対象のＱＣＩが事前に設定され、ＯＦＣ宛てＩＰアドレス（プライベートＩＰアドレス）が設定されている。
【００７１】
ＵＥがeNB+TOF１配下で通信を開始する。eNB+TOF１はＵＥからのパケットを受信する（１）。オフロード対象のＱＣＩの無線ベアラから最初のＩＰパケット（例えばDNS Queryパケット、あるいはTCP SYNパケット）を受信すると、eNB+TOF１は、送信元ＩＰアドレスを取得する。
【００７２】
eNB+TOF１は、ＯＦＣ宛に間接接続要求（ｉＣＲ）をＵＤＰ（User Datagram Protocol）でＳ１−Ｕを介してＳＧＷに送る（２）。なお、３ＧＰＰ／２、ＷｉＭＡＸ（Worldwide Interoperability for Microwave Access）のＰＭＩＰ(Proxy Mobile IP)もエージェントが同様に動作する。間接接続要求（indirect Connect Request）には、送信元ＵＥ、宛先ＯＦＣ、基地局アドレスリスト（eNB+TOF1に割当てられたＩＰアドレス：192.168.0.10と、192.168.4.10）、ＴＭＳＩ、ＵＥ  ＩＰアドレス、Ｅ−ＲＡＢＩＤが含まれる。
【００７３】
ＰＧＷは間接接続要求（ｉＣＲ）をＳＧi（ＳＧｉ１又はＳＧｉ２）に出力しＯＦＳ（ＯＦＳ１又はＯＦＳ２）に転送する（３）。ＯＦＳ（ＯＦＳ１又はＯＦＳ２）はＰＧＷからの間接接続要求（ｉＣＲ）をＯＦＣ（ＯＦＣ１又はＯＦＣ２）に転送する（４）。
【００７４】
間接接続要求（ｉＣＲ）を受け取とった方のＯＦＣは、接続要求処理、ＳＧｉの特定、ＵＥのＩＰアドレスからのＩＭＳＩの特定を行う（５）。
【００７５】
ＯＦＣは、基地局eNB+TOF１宛てに接続応答（Connect ACK）を送る（６）。
【００７６】
基地局eNB+TOF１は、受信した接続応答（Connect ACK）から、該接続応答の送信元（ＯＦＣ１又はＯＦＣ２）に接続するＶＬＡＮを特定する。基地局eNB+TOF１は、オフロード対象のパケットを当該ＶＬＡＮに送出する。
【００７７】
ＯＦＣでは、ＯＦＳのフローエントリのセットアップを行う。ダウンリンクパケットでは、当該パケットヘッダの宛先アドレスを書き換える、ＭＡＣアドレス書き換えエントリ（ルールにマッチした場合にMACアドレスを修正するアクション）を、ＯＦＳのフローテーブルに設定する。また、アップリンク用に、ＯＦＳのフローテーブルにカウンタ用エントリを追加する（７）。
【００７８】
ＵＥは、基地局eNB+TOF１にデータパケットを送信する（８）。eNB+TOF１では、ＵＥからのパケットがオフロード対象のＱＣＩの無線ベアラからのパケットである場合、該パケットを、トラフィックのオフロード先の経路に転送する（９）。なお、eNB+TOF１では、オフロード対象でないパケットは、Ｓ／Ｐ−ＧＷのＳＧＷに転送し、該パケットはＰＧＷからＯＦＳを介してルータ（Router）に転送される。ＯＦＳは、オフロード経路を経由して転送されたパケットを、ルータ（Router)からＰＤＮに送信する（１０）。eNB+TOF１において、オフロードの判定は、例えばパケットのＱＣＩに基づき行うようにしてもよい。
【００７９】
ＰＤＮからルータ（Router）を経由して受信したパケットは、ＯＦＳに転送され（１１）、当該ＵＥ向けのパケットは、ＯＦＳから基地局eNB+TOF１に転送され（１２）、基地局eNB+TOF１からＵＥに無線送信される（１３）。
【００８０】
＜オフロード経路の追加エラー＞
図７は、オフロード経路の追加エラーとなる場合の動作の一例を例示する図である。図７では、ＳＧｉに接続されたＯＦＳ／ＯＦＣが存在しない場合の手順が例示されている。この場合も、図６と同様、例えばプライベートアドレスが重複する地域に適用され、オフロード機能付き基地局eNB+TOF１は、間接接続要求（indirect Connect Request）をＯＦＣに送り、ＯＦＣから送信される応答から、オフロード経路を特定するものとする。
【００８１】
図７において、（１）、（２）は、図６の（１）、（２）と同じである。ＰＧＷはオフロード機能付き基地局eNB+TOF１からの間接接続要求（ｉＣＲ）をＳＧｉに出力する。しかしながら、ＳＧｉにはＯＦＳ、ＯＦＣが接続されていない。このため、eNB+TOF１は間接接続要求（ｉＣＲ）を再送するが、ＯＦＣから肯定応答（Ack）は返送されない。eNB+TOF１から間接接続要求（ｉＣＲ）を予め定められた回数分再送しても、ＯＦＣから肯定応答（Ack）は返送されないと、再送オーバー（再送タイムアウトエラー）となり、オフロード経路の追加処理は終了する。すなわち、ＵＥからのパケットは、オフロード対象とされても、Ｓ１−Ｕを介して、Ｓ／Ｐ−ＧＷからＳＧｉ、ルータを介してＰＤＮに転送される（５−７）。また、ＰＤＮからルータを経由して受信したパケットは、Ｓ／Ｐ−ＧＷに転送され（８）、Ｓ／Ｐ−ＧＷからeNB+TOF１に転送され（９）、eNB+TOF１からＵＥに無線送信される（１０）。
【００８２】
次に、本実施形態におけるハンドオーバ（ＨＯ）処理についていくつかの典型的な例を説明する。
【００８３】
＜オフロード機能無しのｅＮＢからオフロード機能付きｅＮＢ＋ＴＯＦへのＨＯ＞
ＵＥがトラフィックオフロード機能を備えていないｅＮＢのエリアからトラフィックオフロード機能を備えたｅＮＢ＋ＴＯＦのエリアにハンドオーバ（Ｘ２ハンドオーバ）する場合について図８を参照して説明する。なお、Ｘ２ハンドオーバでは、同一のＭＭＥに接続される移動元、移動先のｅＮＢが、ｅＮＢ間の接続インタフェースＸ２を用いて、ハンドオーバする。
【００８４】
特に制限されないが、例えば、ＵＥからの周辺基地局測定結果を受け取ったｅＮＢは（移動元のｅＮＢ）、ハンドオーバ（ＨＯ）を決定する。ｅＮＢは、移動先のeNB+TOF１に対して、ハンドオーバ（ＨＯ）要求を送信する。また、移動元のｅＮＢは、ＵＥに対してハンドオーバ（ＨＯ）指示を無線で送信する。
【００８５】
移動元のｅＮＢは、Ｘ２上で未達パケット、端末情報を、移動先のeNB+TOF１に送信する（１）。この場合、オフロード対象のＱＣＩの無線ベアラ宛にＸ２経由でパケットが到着しているものとする。
【００８６】
移動先のeNB+TOF１は、パケットをＵＥに転送する（２）。
【００８７】
移動先のeNB+TOF１は、ＯＦＣ宛に間接的な接続要求(indirect Connect  Request)（ｉＣＲ）を、ＵＤＰ（User Datagram Protocol）でＳ１−Ｕインタフェースを介してＳ／Ｐ−ＧＷに送る（３）。間接接続要求（ｉＣＲ）には、例えば、送信元ＵＥ、宛先ＯＦＣ、基地局アドレスリスト、ＴＭＳＩ、ＵＥ  ＩＰアドレス、Ｅ−ＲＡＢＩＤが含まれる。
【００８８】
Ｓ／Ｐ−ＧＷは、間接接続要求（ｉＣＲ）をＳＧｉに出力してＯＦＳに転送する（４）。ＯＦＳは、Ｓ／Ｐ−ＧＷからの間接接続要求（ｉＣＲ）をＯＦＣに転送する（５）。
【００８９】
ＯＦＣは、間接接続要求（ｉＣＲ）を受け、オフロード経路の接続処理、ＳＧｉの特定、ＵＥのＩＰアドレスからＩＭＳＩを特定する（６）。
【００９０】
ＯＦＣは、オフロード経路から、直接、基地局eNB+TOF１宛てに、ＵＥ  ＩＰアドレス、ＴＭＳＩ情報を含む接続応答（Connect ACK)をＴＣＰ（Transmission Control Protocol）で送る（７）。基地局eNB+TOF１は、接続応答（Connect ACK)から、オフロード先を認識し、オフロード対象のパケットを、オフロード先のＶＬＡＮに送出する。
【００９１】
ＯＦＣは、ＯＦＳのフローエントリのセットアップを行う。ダウンリンクパケットでは、当該パケットのヘッダの宛先MACアドレスを書き換えるMACアドレスの書き換えエントリ(アクション)をＯＦＳのフローテーブルに設定する。アップリンク用に、ＯＦＳのフローテーブルにカウンタ用エントリを追加する（８）。ＯＦＣは、転送データの最後であることを示すEND MarkerをeNB+TOF１に送信してもよい（９）。
【００９２】
基地局eNB+TOF１へのハンドオーバ後、ＵＥからのアップリンクのデータパケットは基地局eNB+TOF１で、オフロードされて、コアネットワークを迂回して、ＯＦＳに転送され、ルータからＰＤＮに転送される。ＰＤＮからルータ経由でＯＦＳに到達したダウンリンクパケットは、コアネットワークを迂回し、基地局eNB+TOF１に直接転送され、ＵＥに無線送信される（１０−１５）。
【００９３】
＜オフロード機能付き基地局間のＨＯ：オフロード経路更新＞
ＵＥがトラフィックオフロード機能を備えた基地局間ハンドオーバ（Ｘ２ハンドオーバ）する場合について図９を参照して説明する。なお、異なるＳＧｉに接続するＯＦＳ、ＯＦＣ間でプライベートアドレスが重複するものとする。
【００９４】
ハンドオーバコマンド（HO Command）をＭＭＥから受信すると、移動元のeNB+TOF１は、ＯＦＳ経由で、ＯＦＣ宛に、切断要求（Disconnect Request: DR）をＴＣＰ（transmission control protocol）で送信する（１）。切断要求（ＤＲ）にはＵＥ情報が含まれる。
【００９５】
ＯＦＣは、切断要求の処理を予約する（すなわち、ただちに移動元のeNB+TOF１との接続を直ちに切断せず、ＵＥエントリに関連付けて、タイマーをスタートさせ、Ｔミリ秒後に切断処理を行うことを予約する）（２）。ここで、予約は、例えば、切断要求をコマンドバッファ（キュー）等に登録して待ち状態とし、タイムアウト時に、コマンドバッファから取り出して切断処理を行う。
【００９６】
移動元のeNB+TOF１は、移動先のeNB+TOF２に対して、オフロード対象のＱＣＩの無線ベアラ宛に、ｅＮＢ間の接続インタフェースＸ２経由でユーザデータパケットを送信する（３）。移動元のeNB+TOF１は、ＵＥに対して、ハンドオーバ（ＨＯ）指示を無線で送信する。
【００９７】
移動先の基地局eNB+TOF２は、該ユーザデータパケットをＵＥに転送する（４）。
【００９８】
移動先のeNB+TOF２は、ＯＦＣ宛に間接接続要求（indirect Connect Request)（ｉＣＲ）をＵＤＰにて、Ｓ１インタフェース経由でＳ／Ｐ−ＧＷに送る（５）。間接接続要求（ｉＣＲ）には、送信元ＵＥ、宛先ＯＦＣ、基地局アドレスリスト、ＴＭＳＩ、ＵＥ  ＩＰアドレス、Ｅ−ＲＡＢＩＤが含まれる。
【００９９】
Ｓ／Ｐ−ＧＷは、間接接続要求（ｉＣＲ）をＳＧｉに出力しOFS（OFS1又はOFS2）に転送する（６）。ＯＦＳ（OFＳ1又はOFＳ2）は、ＰＧＷからの間接接続要求（ｉＣＲ）をＯＦＣ（ＯＦＣ１又はＯＦＣ２）に転送する（７）。
【０１００】
ＯＦＣ（ＯＦＣ１又はＯＦＣ２）は、接続要求の処理、ＳＧｉの特定、ＵＥのＩＰアドレスからＩＭＳＩを特定する。ＯＦＣは、ＵＥエントリにeNB+TOF1からの切断要求が残っているため、eNB+TOF間のハンドオーバと判定する。
【０１０１】
ＯＦＣは、移動先のeNB+TOF２宛てに接続応答（Connect Ack）をＴＣＰで送る（９）。移動先のeNB+TOF２は、接続応答（Connect Ack）を受信し、オフロード経路（ＶＬＡＮ）を特定する。  
【０１０２】
ＯＦＣは、ＯＦＳのフローエントリのセットアップを行う。ダウンリンクパケットでは、当該パケットのヘッダの宛先ＭＡＣアドレスを書き換えるためのＭＡＣ書き換えエントリ（ルールのアクション）を、ＯＦＳのフローテーブルに設定する。ＯＦＣは、ＯＦＳのフローテーブルにアップリンク用のカウンタ用エントリを追加し、さらに、切断処理予約を解除する（１０）。これ以降、移動先のeNB+TOF２でのオフロード（PGWオフロード）が開始される。
【０１０３】
ＵＥからのアップリンクのデータパケットは、移動先のeNB+TOF２でオフロードされ、ＯＦＳに転送されＰＤＮに送信される。ＰＤＮからのダウンリンクパケットはＯＦＳから移動先のeNB+TOF２に転送される（１１−１６）。ＯＦＣは、移動元のeNB+TOF１に対して切断応答（Disconnect Ack）をＴＣＰで返す（１７）。移動元のeNB+TOF１でのオフロードが終了し、ＵＥからのパケットはＳ／Ｐ−ＧＷ経由でＯＦＳ、ルータからＰＤＮ１０４に転送され、ＰＤＮ１０４からのパケットは、ルータ、ＯＦＳ、Ｓ／Ｐ−ＧＷ経由でｅＮＢを介してＵＥに送信される。
【０１０４】
＜オフロード機能付き基地局からオフロード機能無し基地局へのＨＯ１：オフロード経路削除＞
オフロード機能付き基地局eNB+TOF１でトラフィックをオフロードして通信しているＵＥが、オフロード機能無し基地局ｅＮＢの圏内に移動した場合のハンドオーバについて図１０を参照して説明する。
【０１０５】
ハンドオーバコマンド（ＨＯ  Ｃｏｍｍａｎｄ）をＭＭＥから受信すると、移動元のeNB+TOF１は、ＯＦＳ経由で、ＯＦＣ宛に、切断要求（Disconnect Request:ＤＲ）をＴＣＰで送信する（１）。この切断要求（ＤＲ）にはＵＥ情報が含まれる。
【０１０６】
ＯＦＣは、切断処理を予約する（ＵＥエントリに関連付けてタイマをスタートさせＴミリ秒後に切断処理を行うことを予約する）（２）。一方、移動元のeNB+TOF１は、移動先のｅＮＢに対して、ｅＮＢ間の接続インタフェースＸ２経由でユーザデータパケットを送信し（３）、移動先の基地局ｅＮＢは、該ユーザデータパケットをＵＥに無線送信する（４）。
【０１０７】
ＯＦＣは、タイマでのタイムアウト発生（Ｔミリ秒経過）後、切断要求の処理を行う。ＯＦＳのフローテーブルの統計情報からパケットカウントを収集し（５、６）、フローテーブルのダウンリンク、アップリンクのフローエントリを削除するようにＯＦＳに指示する（７）。
【０１０８】
ＯＦＣは、移動元のeNB+TOF１に切断完了応答（Disconnect Ack：ＤＡ）をＴＣＰで通知する（８）。
【０１０９】
ＰＤＮからルータを介してＯＦＳにパケットが入力されると（９）、該パケットはＯＦＳからＰＧＷ、ＳＧＷに転送され（１０）、ＳＧＷから移動先ｅＮＢに転送され（１１）、ＵＥに無線送信される（１２）。ＵＥからのパケットは、ｅＮＢからＳ／Ｐ−ＧＷを介してＯＦＳに転送されルータからＰＤＮに送信される（１３〜１６）。
【０１１０】
＜オフロード機能付き基地局からオフロード機能無し基地局へのＨＯ２：オフロード経路削除＞
オフロード機能付き基地局eNB+TOF１でトラフィックをオフロードして通信しているＵＥがオフロード機能無し基地局ｅＮＢの圏内に移動した場合のハンドオーバについて図１１を参照して説明する。なお、図１１の例では、図１０の場合と異なり、Ｘ２インターフェース経由で送るべきユーザデータパケットが無い場合を想定している。
【０１１１】
リソース解放／ハンドオーバコマンド（ＨＯ  Ｃｏｍｍａｎｄ）をＭＭＥから受信する（１）と、移動元のeNB+TOF１は、ＯＦＳ経由で、ＯＦＣ宛に、切断要求（Disconnect Request:ＤＲ）をＴＣＰで送信する（２）。切断要求（ＤＲ）にはＵＥ情報が含まれる。
【０１１２】
ＯＦＣは、切断要求の処理を予約する（ＵＥエントリに関連付けてタイマをスタートさせＴミリ秒後（Ｔは予め定められた値）に切断処理を行うことを予約する）（３）。
【０１１３】
ＯＦＣでは、Ｔミリ秒のタイムアウト後、切断要求の処理を行う（４）。ＯＦＳのフローテーブルの統計情報からパケットカウントを収集し（５）、フローテーブルのダウンリンク、アップリンクエントリを削除するようにＯＦＳに指示する（６）。
【０１１４】
ＯＦＣは移動元のeNB+TOF１に切断応答(Disconnect Ack)をＴＣＰで通知する（７）。
【０１１５】
移動先のｅＮＢと通信接続しないため、オフロード経路の削除で終了する。
【０１１６】
＜オフロード機能付き基地局からオフロード機能無し基地局へのＨＯ３＞
オフロード機能付き基地局eNB+TOF１でトラフィックをオフロードして通信しているＵＥがオフロード機能無し基地局ｅＮＢの圏内に移動した場合のハンドオーバについて図１２を参照して説明する。
【０１１７】
ハンドオーバコマンド（HO Command）をＭＭＥから受信後Ｘ２ハンドオーバ手続きを開始すると、移動元のeNB+TOF１は、ＯＦＳ経由で、ＯＦＣ宛に、切断要求（Disconnect Request:ＤＲ）をＴＣＰで送信する（１）。切断要求（ＤＲ）にはＵＥ情報が含まれる。ＯＦＣは、切断要求の処理を予約する（ＵＥエントリに関連付けてタイマをスタートさせＴミリ秒後に切断処理を行うことを予約する）（２）。
【０１１８】
移動元のeNB+TOF１から移動先のｅＮＢに、ｅＮＢ間の接続インタフェースＸ２経由でパケットを送信し（３）、移動先のｅＮＢから、ＵＥに該パケットを無線送信する（４）。
【０１１９】
ＵＥからの送信パケットはｅＮＢ、Ｓ／Ｐ−ＧＷを介して転送され、ＯＦＳからルータに転送される（５〜８）。
【０１２０】
ＯＦＣではＴミリ秒のタイムアウト後、切断要求の処理を行う。ＯＦＳのフローテーブルの統計情報からパケットカウントを収集し（９、１０）、フローテーブルのダウンリンク、アップリンクのフローエントリを削除するようにＯＦＳに指示する（１１）。
【０１２１】
ＯＦＣは移動元のeNB+TOF１に切断応答（Disconnect Ack）をＴＣＰで通知し、オフロードを終了する（１２）。
【０１２２】
ＰＤＮからルータを介してＯＦＳにパケットが入力されると（１３）、該パケットはＯＦＳからＰＧＷ、ＳＧＷに転送され（１４）、ＳＧＷから移動先ｅＮＢに転送され（１５）、ＵＥに無線送信される（１６）。ＵＥからのパケットは、ｅＮＢからＳ／Ｐ−ＧＷを介してＯＦＳに転送されルータからＰＤＮに送信される（１７〜２０）。
【０１２３】
＜オフロード機能付き基地局（Ｅ−ＵＴＲＡＮ）からＵＴＲＡＮへのＨＯ：ＣＳＦａｌｌＢaｃｋ（CS Fallback）、ＳＲＶＣＣ（Single Radio Voice Call Continuity）：オフロード経路削除＞
ＣＳＦＢでは、ＣＳ（Circuit Switched）呼制御を行うときだけ、ＬＴＥネットワークから３Ｇ（２Ｇ）ネットワークに移りＣＳ通信を行う。ＵＥは、ＥＵＴＲＡＮからＵＴＲＡＮにハンドオーバする。例えば発信元のＧ−ＭＳＣ（関門移動交換局）からＣＳ網を介してＭＳＣ／ＶＬＲに、着信があることを伝える信号が送信され、ＭＳＣ（Mobile Switching Center）／ＶＬＲ（Visited Location Register）では着信情報から対応するＭＭＥを特定し、一斉呼び出し信号（Paging-Request-message）をＭＭＥに送信する。ＭＭＥは一斉呼び出し信号をｅＮＢに送信する。このページング信号には、ＣＳサービスの呼び出しであることを示す情報が含まれている。ＵＥはこの情報（ＣＳサービスの呼出）を認識し、ＭＭＥに対してＣＳサービス要求信号を送信する。ＭＭＥはハンドオーバコマンド(HO  Command)を送信する。ＵＥはハンドオーバ手順を実行するとともに３Ｇに切り替える。ＳＲＶＣＣも、ＬＴＥから３Ｇ（２Ｇ）エリアにハンドオーバして音声通話を継続する。
【０１２４】
オフロード機能付き基地局eNB+TOF１でトラフィックをオフロードして通信しているＵＥが、ＣＳＦＢでＵＴＲＡＮにハンドオーバする場合のトラフィックオフロード終了時の動作について、図１３を参照して説明する。
【０１２５】
リソース解放／ハンドオーバコマンド（HO Command)をＭＭＥから受信すると（１）、移動元のeNB+TOF１は、ＯＦＳ経由で、ＯＦＣ宛に、切断要求（ＤＲ）をＴＣＰで送信する（２）。切断要求（Disconnect Request:ＤＲ）にはＵＥ情報が含まれる。eNB+TOF１は、ＭＭＥとの間のＳ１コネクションを解放する。
【０１２６】
ＯＦＣは、切断要求の処理を予約する（ＵＥエントリに関連付けてタイマをスタートさせＴミリ秒後に切断処理を行うことを予約する）（３）。
【０１２７】
ＯＦＣでは、Ｔミリ秒のタイムアウト後、切断要求の処理を行う。ＯＦＳのフローテーブルの統計情報からパケットカウントを収集し（４、５）、フローテーブルのダウンリンク、アップリンクエントリを削除するようにＯＦＳに指示する（６）。
【０１２８】
ＯＦＣは、eNB+TOF１に切断応答（Disconnect Ack）をＴＣＰで通知する（７）。以上でオフロード経路が切断され、ＵＥは３Ｇ（２Ｇ）のネットワークと通信する。
【０１２９】
＜ＥＣＭ−ＩＤＬＥへの遷移でのオフロード経路削除＞
図１４は、ＥＣＭ−ＩＤＬＥへの遷移でのオフロード経路削除を例示する図である。Ｓ１リリース手順は、非特許文献３：Figure 5.3.5-1: S1 Release Procedure等が参照される。
【０１３０】
ＭＭＥは、リリースアクセスベアラ要求（Release Access Bearers Request）をＳＧＷに送信しＳ１−Ｕベアラを解放させる。なお、ｅＮＢが主導のＳ１リリースでは、ｅＮＢからＭＭＥにS1-AP: S1 UE Context Release Requestを送信する。ＳＧＷは、ｅＮＢ関連情報（アドレス、トンネル識別子（Tunnel Endpoint ID:TEID）を削除し、リリースアクセスベアラ応答（Release Access Bearers Response）をＭＭＥに送信する。
【０１３１】
ＭＭＥは、S1-AP S1 UEコンテキストリリースコマンドメッセージ（S1 UE Context Release Command（cause））を基地局eNB+TOF１に送信して、Ｓ１を解放する（１）。基地局eNB+TOF１は、S1 Releaseを確認し、S1 UE Context Release Complete messageを、ＭＭＥに送信する。なお、ＲＲＣ接続（RRC Connection）が解放されていない場合、eNB+TOF１は、RRC Connection ReleaseメッセージをＵＥに送信する。S1-AP S1 UEコンテキストリリースコマンドメッセージをＭＭＥから受信すると、移動元のeNB+TOF１は、ＯＦＳ経由で、ＯＦＣ宛に、切断要求（ＤＲ）をＴＣＰで送信する（２）。切断要求（ＤＲ）には、ＵＥ情報が含まれる。eNB+TOF１は、ＭＭＥとの間のＳ１コネクションを解放する。
【０１３２】
ＯＦＣは、切断要求の処理を予約する（ＵＥエントリに関連付けてタイマをスタートさせＴミリ秒後に切断処理を行うことを予約する）（３）。
【０１３３】
ＯＦＣでは、Ｔミリ秒のタイムアウト後、切断要求の処理を行う。ＯＦＳのフローテーブルの統計情報からパケットカウントを収集し（４、５）、フローテーブルのダウンリンク、アップリンクエントリを削除するようにＯＦＳに指示する（６）。
【０１３４】
ＯＦＣは、移動元のeNB+TOF１に対して、切断応答（Disconnect Ack）をＴＣＰで通知する（７）。このように、ＥＣＭ接続状態（ECM Connected）からＥＣＭアイドル（ECM Idle）への遷移時にオフロード経路を切断する。なお、ＥＣＭアイドル状態でのＵＥへのページング、ＩＳＲ（Idle mode signaling Reduction）は、ＭＭＥ又はＳＧＳＮ等が処理する。ＩＳＲは、３Ｇ／ＬＴＥ位置登録省略機能であり、無線アクセスシステムを変えた場合でも、以前登録した位置登録エリアから変更がないかぎり（ＵＥ、ＭＭＥ又はＳＧＳＮが同一のＰＤＮ接続状態）、位置登録を省略する機能である。
【０１３５】
＜実施形態２＞
図１５は、実施形態２を説明する図である。本実施形態では、前記したＯｐｅｎＦｌｏｗの移動制御を、図１９を参照して説明した３ＧＰＰ  ＳＩＰＴＯソリューション４に適用し、モビリティが実現できない点を克服したものである。図１９の３ＧＰＰ  ＳＩＰＴＯソリューション４では、ＮＡＴが必要とされるが、ＯｐｅｎＦｌｏｗを用いた実施形態によれば、ＮＡＴは不要とされる。
【０１３６】
図１５において、Ｉｕ−ＰＳインタフェースに配置されるＴＯＦ（Traffic Offload）１２４は、ＵＥ１２１から無線アクセスネットワークＵＴＲＡＮ（ＮＢ１２２、ＲＮＣ１２３）へのトラフィック（パケット）を受信し、オフロード対象のパケットをオフロード経路１２７を介してＯＦＳ１０５に転送する。ＴＯＦ１２４は、非オフロード（オフロード対象でない）のパケットはＳＧＳＮ１２５に転送する。ＳＧＳＮ１２５とＳＧＷ１０３ＳはＳ４インタフェースで接続される。図１５において、ｅＮＢ１０２、ＯＦＳ１０５、ＯＦＣ１０６、ルータ１０９、ＰＤＮ１０４は、図２等を参照して説明したものと同一である。また図１５では、ＳＧＷ１０３ＳとＰＧＷ１０３Ｐが別々に配置されているが、図２のように一体としてもよい。また、図１５において、ＳＧＳＮ１２５にＧＧＳＮ（不図示）が接続され、ＧＧＳＮとＰＤＮ間のインタフェースＧｉにＯＦＳ（不図示）を配置し、ＵＥ１２１から無線アクセスネットワークＵＴＲＡＮ（ＮＢ１２２、ＲＮＣ１２３）へのトラフィック（パケット）を、ＴＯＦ１２４でオフロードしてＧＧＳＮの（不図示）先のＯＦＳ（不図示）に転送しＰＤＮに送信するようにしてもよい。なお、ＴＯＦ１２４でオフロードされたパケットは、仮想スイッチ（ＶＳＷ）を介して、ＯＦＳ１０５に転送するようにしてもよい（管理ドメインにおいて物理ネットワークインタフェースに加え、仮想スイッチ（ＶＳＷ）をネットワークデバイスとして組み込むことでIPルーチングを構成可能）。あるいは、システム構成の拡張性等への対応から、仮想スイッチ（ＶＳＷ）を例えばＯＦＳで構成し、ＯＦＳを、破線で示すＯＦＣ（１０６とは別のＯＦＣでもよい）で制御を行うようにしてもよい。本実施形態によれば、トラフィックの増大によるＳＧＳＮ、ＳＧＷ、ＰＧＷ等の増設を抑制する。
【０１３７】
＜実施形態３＞
図１６は、実施形態３を説明する図である。本実施形態では、フェムト・ゲートウェイ１３３にトラフィックオフロード（ＴＯＦ）機能を付加している。オフロード対象のデータトラフィック（パケット）を、コアネットワークを迂回するオフロード経路１３７を介して、ＯＦＳ１０５に転送し、ルータ１０９からＰＤＮ１０４に転送する。またＰＤＮ１０４からルータ１０９を介してＯＦＳ１０５に転送されたデータトラフィックは、コアネットワークを迂回してフェムト・ゲートウェイ１３３に転送され、ネットワーク１３２を介してフェムトセル用基地局（フェムトセルアクセスポイント）（ＦＡＰ）１３１に転送される。図１６において、ＭＳＣ（Mobile Switching Center）、ＣＳ（Circuit Switched）コアは、ＢＳＣ（Base Station Controller:基地局制御装置）に接続される回線交換機と回線交換ネットワークである。ＣＳＣＦ（Call Session Control Function）、ＩＭＳ（Internet Multimedia Services）コアはIPマルチメディアシステムを構成する(非特許文献４:3GPP TS 23.228 V11.6.0 (2012-09) Figure 4.0参照）。ＨＬＲ（Home Location Registry）／HSSは加入者情報データベースである。本実施形態によれば、フェムトセルトラフィックの増大によるＳＧＳＮ、ＳＧＷ、ＰＧＷ等の増設を抑制する。
【０１３８】
＜基地局＞
基地局ｅＮＢは、ユーザプレーンのヘッダ圧縮及び暗号化の機能を含む。物理（ＰＨＹ）、メディアアクセス制御（ＭＡＣ:Media Access Control）、無線リンク制御（ＲＬＣ:Radio Link Control）、及び、パケットデータ制御プロトコル（ＰＤＣＰ:Packet Data Control Protocol）の各レイヤをホストしている。ｅＮＢはコントロールプレーンに対応する無線リソース制御（ＲＲＣ：Radio Resource Control）機能を提供する。さらに、ｅＮＢは、無線リソースマネジメント、アドミッション制御、スケジューリング、ネゴシエートされたＵＬ−ＱｏＳ（Uplink Quality of Service）の実施、セル情報の報知、ユーザ及びコントロールプレーンデータの暗号化及び復号化、ＤＬ／ＵＬ（ダウンリンク／アップリンク）ユーザプレーンパケットヘッダの圧縮と解凍等の機能を実行する。ｅＮＢはまた、Ｓ１−ＵインタフェースにＳＧＷにそれぞれ接続される。
【０１３９】
図１７には、トラフィックオフロード（ＴＯＦ）機能を付加した基地局（ｅＮＢ＋ＴＯＦ）１０２の構成の一例が模式的に示されている。なお、図１７は、基地局（ｅＮＢ＋ＴＯＦ）１０２を模式的に説明するものであり、機能構成、ブロック構成、信号接続等はかかる構成に制限されるものでないことは勿論である。図１７を参照すると、オフロードトラフィック判断部１０２２は、例えば、オフロード対象のＱＣＩに基づき、無線受信部１０２０で受信された、無線ベアラからのパケット（ＵＥから送信されたパケット）が、オフロード対象であるか否か判断する。オフロード対象の場合、オフロードトラフィック判断部１０２２からの指示（制御信号）により、接続要求送信／接続応答受信部１０２３は、間接接続要求（Indirect Connect Request）を、Ｓ１−Ｕインタフェース１０３１からＯＦＳに送信する。あるいは、接続要求送信／接続応答受信部１０２３は、接続要求（Connect Request）を、ＶＬＡＮインタフェース１０３２からＯＦＳに送信する。eNB+TOFへのハンドオーバ時にも、ハンドオーバ処理部１０２６の制御のもと、接続要求送信／接続応答受信部１０２３は、間接接続要求（indirect Connect Request）をＳ１−Ｕインタフェース１０３１からＯＦＳに送信する。また、ハンドオーバ処理部１０２６の制御のもと、接続要求送信／接続応答受信部１０２３は、接続要求（Connect Request）を、ＶＬＡＮインタフェース１０３２からＯＦＳに送信する。接続要求送信／接続応答受信部１０２３は、ＯＦＣからの接続応答をＶＬＡＮインタフェース１０３２から受信する。切断要求送信／切断応答受信部１０２４は、切断要求（間接切断要求）をＶＬＡＮインタフェース１０３２からＯＦＣに送信する。また、ハンドオーバ時に、ハンドオーバ処理部１０２６の制御のもと、あるいはＥＣＭ−ＩＤＬＥへの遷移時に切断制御部１０２７からの指示(制御信号)により、切断要求送信／切断応答受信部１０２４は、切断要求をＶＬＡＮインタフェース１０３２からＯＦＣに送信する。切断要求送信／切断応答受信部１０２４は、ＯＦＣからの切断応答をＶＬＡＮインタフェース１０３２から受信する。
【０１４０】
オフロードトラフィック判断部１０２２でオフロード対象と判定されたトラフィック（パケット）のうち、無線受信部１０２０で受信されたＵＥからのパケット（アップリンクパケット）は、オフロード対象のアップリンクトラフィックとしてトラフィック送受信部１０２８からオフロードトラフィック送受信部１０２５に転送される。オフロードトラフィック送受信部１０２５は、オフロード対象のアップリンクトラフィックをＶＬＡＮインタフェース１０３２からＯＦＳに転送する。また、オフロードトラフィック送受信部１０２５は、ＶＬＡＮインタフェース１０３２から受信したオフロード対象のダウンリンクトラフィックを無線送信部１０２１に出力し、無線送信部１０２１からＵＥに無線送信する。
【０１４１】
オフロードトラフィック判断部１０２２で非オフロードと判定されたトラフィック（パケット）のうち無線受信部１０２０で受信されたＵＥからのパケット（アップリンクパケット）は、トラフィック送受信部１０２８からＳ１−Ｕインタフェース１０３１に出力され、Ｓ／Ｐ−ＧＷ、ＯＦＳ、ルータを介してＰＤＮに送信される。また、Ｓ１−Ｕインタフェース１０３１から受信されたダウンリンクパケットは、トラフィック送受信部１０２８から無線送信部１０２１に出力され、ＵＥに無線送信される。なお、図１７では、無線送信部１０２１と無線受信部１０２０を図面作成の都合で、別のブロックとして示しているが、一体として備えて構成される。無線受信部１０２０と無線送信部１０２１は、送受信アンテナ、ＴＸ（送信部）、ＲＸ（受信部）等のＲＦ（Radio Frequency）部、変復調部、ベースバンド処理部、通信コントローラ、送受信バッファ等を含む。図１８の各部は、図４から図１４の各図を参照して説明したＯＦＣのシーケンス動作を担う。なお、図１７において、オフロードトラフィック判断部１０２２、トラフィック送受信部１０２８、接続要求送信／接続応答受信部１０２３、切断要求送信／切断応答受信部１０２４、オフロードトラフィック送受信部１０２５、ハンドオーバ処理部１０２６、切断制御部１０２７の処理は、基地局を構成するコンピュータ上で実行されるプログラムでその処理・機能の一部又は全てを実現するようにしてもよい。当該プログラムは半導体メモリ、磁気ディスク、光ディスク等の媒体（不図示）に記憶保持されて提供される。
【０１４２】
＜ＯＦＣ＞
図１８は、前記実施形態のＯＦＣ１０６の構成例を模式的に示す図である。図１８において、ＯＦＳからのパケットを送受するパケット送受信部１０６１と、パケットを転送するフローを計算する経路計算部１０６２と、経路計算部１０６２で計算されたフローに従い、フロー上の各ＯＦＳのフローテーブルを設定するフローテーブル設定部１０６３は、既存のＯＦＣの構成に従う。実施形態のＯＦＣ１０６は、既存のＯＦＣの構成に加えて、さらに、オフロード制御部１０６９を備えている。
【０１４３】
オフロード制御部１０６９は、
・オフロード機能付き基地局のネットワークへのアタッチ処理において、認証サーバとのハンドシェイクをフックするＯＦＳから転送されたパケットから、ＵＥの端末情報を取得する端末情報取得部１０６４と、
・オフロード機能付き基地局からの接続要求（Connect Request）又は間接接続要求（Indirect Connect Request）を処理しオフロード経路を追加し、接続応答を、オフロード機能付き基地局に返す接続要求処理部１０６５と、
・オフロード機能付き基地局から転送された切断要求（Disconnect Request）を処理しオフロード経路を削除し、削除応答を、オフロード機能付き基地局に返す切断要求処理部１０６６と、
・接続要求処理部１０６５での接続処理（オフロード経路の追加）、切断要求処理部１０６６でのオフロード経路の削除に伴い、ＯＦＳのフローテーブルのエントリの追加、削除、及び経路変更等を制御し、フローテーブル設定部１０６３からＯＦＳに送信するフローテーブル管理部１０６７と、
を備えている。タイマ１０６８は、切断要求処理部１０６６が切断要求を受信してから切断処理を実行するまでのウェイト時間（Ｔミリ秒）を計時し、Ｔミリ秒経過でタイムアウトを通知するタイマである。オフロード制御部１０６９は、図４から図１４の各図を参照して説明したＯＦＣのシーケンス動作を担う。なお、ＯＦＣにおいて、少なくともオフロード制御部１０６９の各部は、ＯＦＣを構成するコンピュータ上で実行されるプログラムでその処理・機能の一部又は全てを実現するようにしてもよい。当該プログラムは半導体メモリ、磁気ディスク、光ディスク等の媒体（不図示）に記憶保持されて提供される。
【０１４４】
なお、前記各実施形態では、オフロード判定機能をＯＦＣに実装したが、オフロード判定手段等をＭＭＥ、ＳＧＳＮ等に実装するようにしてもよい。また、受信パケットをオフロードするオフロード機能を基地局（実施形態１）や、Ｉｕ−ＰＳインタフェースに配置されるＴＯＦやＳＩＰＴＯゲートイェイ（ＳＩＰＴＯ−ＧＷ）等に実装してもよい。
【０１４５】
＜実施形態４＞
図２１は、図２０（Ｂ）の形態に対応する一実施形態を説明する図である。図２１において、図１と同一の要素には同一の参照符号が付されている。図１の実施形態との相違点は、オフロード機能付き基地局（ｅＮＢ＋ＴＯＦ）１０２Ｓと、オフロード経路への切り替えを行うスイッチ１１１Ｓを備えている。スイッチ１１１Ｓは、オープンフロースイッチ（ＯＦＳ)、仮想スイッチ（Virtual Switch: ＶＳＷ）、あるいは図３のレイヤ２スイッチであってもよい。スイッチ１１１ＳをＯＦＳで構成した場合、スイッチ１１１Ｓの経路設定は、ＯＦＣ１０６Ａから制御される。すなわち、ＯＦＣ１０６ＡからのＯＦＳのフローテーブルのエントリの設定／削除によって制御される。なお、本実施形態の変形例として、スイッチ１１１Ｓをオフロード機能付き基地局（ｅＮＢ＋ＴＯＦ）１０２Ｓに組み込んだ構成としてもよいことは勿論である。この場合、オフロード機能付き基地局（ｅＮＢ＋ＴＯＦ）１０２Ｓが、オフロード経路設定機能を具備することになる。
【０１４６】
オフロード機能付き基地局（ｅＮＢ＋ＴＯＦ）１０２Ｓは、ＯＦＣ１０６Ａからのオフロード指示を受けると、受信したパケットがオフロード対象であるか判断し、オフロード対象のパケットをオフロード経路に転送する。なお、オフロード機能付きの基地局（ｅＮＢ＋ＴＯＦ）１０２ＳからのＯＦＣ１０６Ａへのオフロード経路の接続要求（Connect Request）の送信、応答の受信や、切断要求（Disconnect Request）の送信、応答の受信等は、基本的に、例えば図４から図１４の各図を参照して説明したシーケンスに準ずる。オフロード機能付きの基地局（ｅＮＢ＋ＴＯＦ）１０２ＳからＯＦＣ１０６Ａへの接続要求において、コアネットワーク（ＣＮ）のネットワークノード（例えばＳ／Ｐ−ＧＷ１０３）を経由して転送する場合、間接接続要求（indirect Connect Request）の形式で転送される。本実施形態においては、ＯＦＣ１０６Ａからのオフロード指示を受けると、オフロード対象の無線ベアラからの受信パケットをオフロード経路１０７に転送する構成とされるため、その制御、構成の簡易化が可能となる。
【０１４７】
なお、実施形態４の変形例として、オフロード機能付きの基地局（ｅＮＢ＋ＴＯＦ）１０２Ｓに、ＯＦＣ１０６Ａで行っていたオフロード制御機能（オフロード判定手段）を組む込む構成としてもよい。なお、ＯＦＳ１０５を制御するＯＦＣと、オフロード機能付き基地局（ｅＮＢ＋ＴＯＦ）１０２Ｓを制御するＯＦＣを別々の構成としてもよい。
【０１４８】
上記した実施形態の少なくとも一部は以下のように付記される（ただし以下に制限されない）。
【０１４９】
(付記１)
第１のネットワークへのトラフィックをオフロードさせる機能を備えたノードと、
前記第１のネットワークの関門ノードと第２のネットワーク間に配設されたスイッチと、
を備え、
トラフィックのオフロード時には、前記スイッチは、前記ノードを、前記第１のネットワーク迂回用のオフロード経路を介して前記第２のネットワークに接続し、
非オフロード時には、前記ノードは前記第１のネットワークに接続し、前記スイッチは、前記第１のネットワークの前記関門ノードを前記第２のネットワークに接続する、ネットワークシステム。
【０１５０】
(付記２)
前記スイッチを制御する制御装置を備えた、付記１記載のネットワークシステム。
【０１５１】
(付記３）
前記トラフィックオフロード機能を具備したノードが、無線アクセスネットワークの基地局である、付記２記載のネットワークシステム。
【０１５２】
(付記４）
前記ノードは、移動端末から無線ベアラを介して到着したパケットがオフロード対象に該当すると判断した場合、オフロード経路の接続要求を、前記スイッチを介して前記制御装置に送信し、
前記制御装置は、前記ノードからの前記接続要求を受け、前記ノードから転送されたパケットを前記第２のネットワーク向けに転送し、且つ、前記第２のネットワークからのパケットを前記ノードに転送するように、前記スイッチに設定し、接続応答を前記ノードに返す、付記３記載のネットワークシステム。
【０１５３】
(付記５）
前記制御装置は、前記移動端末からのアタッチに伴う認証時、前記関門ノードと認証サーバ間で送受される情報に基づき、前記移動端末の情報を取得する、付記４記載のネットワークシステム。
【０１５４】
(付記６）
前記関門ノードと前記第２のネットワークとの間に、少なくとも一つの前記スイッチと、前記制御装置との組を、複数組備え、
前記関門ノードと前記第２のネットワークとのインタフェースに関して、少なくとも第１、第２のインタフェースに接続する第１、第２の組の前記スイッチと前記制御装置のプライベートアドレスが重複する場合、前記ノードは、前記接続要求を、前記第１のネットワークを経由し前記関門ゲートから前記第１又は第２の組の前記スイッチを介して前記制御装置に送信し、
前記ノードは、前記制御装置からの前記接続応答を受信した経路から、オフロード先の前記スイッチへの経路を特定する、付記５記載のネットワークシステム。
【０１５５】
(付記７）
前記移動端末が、トラフィックオフロード機能を具備しない移動元の基地局から、トラフィックオフロード機能を具備した移動先の基地局へハンドオーバするにあたり、
前記移動先の基地局は、オフロード経路の接続要求を、前記スイッチを介して前記制御装置に送信し、
前記制御装置は、前記接続要求を受け、前記ノードから転送されたパケットを前記第２のネットワーク向けに転送し、且つ、前記第２のネットワークからのパケットを前記移動先の基地局に転送するように前記スイッチに設定し、接続応答を前記移動先の基地局に返す、付記４乃至６のいずれか一に記載のネットワークシステム。
【０１５６】
(付記８）
前記移動端末が、トラフィックオフロード機能を具備した移動元の基地局から、トラフィックオフロード機能を具備した移動先の基地局へハンドオーバするにあたり、
前記移動元の基地局は、前記オフロード経路を削除する切断要求を、前記スイッチを介して前記制御装置に送信し、
前記移動先の基地局は、オフロード経路の接続要求を、前記スイッチを介して前記制御装置に送信し、
前記制御装置は、前記接続要求を受け、前記ノードから転送されたパケットを前記第２のネットワーク向けに転送し、且つ、前記第２のネットワークからのパケットを前記移動先の基地局に転送するように、前記スイッチに設定し、接続応答を前記移動先の基地局に返し、
前記制御装置は、前記移動元の基地局のオフロード経路を切断処理し、切断応答を前記移動元の基地局に返す、付記４乃至６のいずれか一に記載のネットワークシステム。
【０１５７】
(付記９）
前記移動端末が、トラフィックオフロード機能を具備した移動元の基地局から、トラフィックオフロード機能を具備しない移動先の基地局へハンドオーバするにあたり、
前記移動元の基地局は、オフロード経路を削除する切断要求を、前記スイッチを介して、前記制御装置に送信し、
前記制御装置は、前記移動元の基地局のオフロード経路を切断処理し、切断応答を前記移動元の基地局に返す、付記４乃至６のいずれか一に記載のネットワークシステム。
【０１５８】
(付記１０）
前記制御装置は、前記基地局からオフロード経路切断要求を受けると、タイマにより予め定められた所定時間遅延させた後に、切断処理を行う、付記８又は９記載のネットワークシステム。
【０１５９】
(付記１１）
前記移動端末が、トラフィックオフロード機能を具備した移動元の基地局から、トラフィックオフロード機能を具備しない移動先の基地局へハンドオーバするにあたり、
前記移動元の基地局は、オフロード経路を削除する切断要求を、前記スイッチを介して前記制御装置に送信し、
前記制御装置は、前記切断要求を受けると、前記タイマでのタイムアウト発生前に前記第２のネットワークからの受け取ったデータパケットを、基地局間インタフェースを介して、前記移動先の基地局に送信して前記移動端末に送信する、付記１０記載のネットワークシステム。
【０１６０】
(付記１２）
トラフィックオフロード機能を具備した移動元の基地局から、他の第１のネットワークへのフォールバックを行うハンドオーバ時、前記移動元の基地局は、オフロード経路を削除する切断要求を、前記スイッチを介して前記制御装置に送信し、前記制御装置は、前記移動元の基地局のオフロード経路を切断処理し、切断応答を前記移動元の基地局に返す、付記４記載のネットワークシステム。
【０１６１】
(付記１３）
前記基地局は、移動端末のモビリティを管理するノードから所定のコマンドを受信すると、オフロード経路の削除する切断要求を前記スイッチを介して前記制御装置に送信し、前記移動元の基地局は、オフロード経路を削除する切断要求を、前記スイッチを介して前記制御装置に送信し、
前記制御装置は、前記移動元の基地局のオフロード経路を切断処理し、切断応答を前記移動元の基地局に返す、付記４記載のネットワークシステム。
【０１６２】
(付記１４）
トラフィックオフロード機能を具備した前記ノードが、無線リンクコントローラと前記第１のネットワーク間のインタフェース上に配設されている、付記１又は２記載のネットワークシステム。
【０１６３】
(付記１５）
前記トラフィックオフロード機能を具備したノードが、フェムトセルと、前記第１のネットワークを接続するフェムトゲートウェイである、付記１又は２記載のネットワークシステム。
【０１６４】
（付記１６）
第１のネットワークへのトラフィックをオフロードさせるノードと、
前記第１のネットワークの関門ノードと第２のネットワーク間に配設されたスイッチとを用いて、トラフィックをオフロードさせる場合、
前記スイッチは、前記ノードを、前記第１のネットワーク迂回用のオフロード経路を介して前記第２のネットワークに接続し、
非オフロード時には、前記ノードは前記第１のネットワークに接続し、前記スイッチは、前記第１のネットワークの前記関門ノードを前記第２のネットワークに接続する、ネットワーク制御方法。
【０１６５】
（付記１７）
移動端末から無線ベアラを介して到着したパケットがオフロード対象に該当すると判断した場合、第１のネットワークを迂回するオフロード経路の接続要求を、直接又は第１のネットワークを経由して、前記第１のネットワークの関門ノードと第２のネットワーク間に配設されたスイッチに送信する手段を備え、前記接続要求は、前記スイッチから制御装置に送信され、接続処理が行われ、前記スイッチを介して前記オフロード経路と第２のネットワークが接続され、
前記移動端末のモビリティを管理するノードから所定のコマンドを受けると、オフロード経路の切断要求を、前記スイッチに送信する手段を備え、前記切断要求は、前記スイッチから前記制御装置に送信されて前記オフロード経路が切断される基地局装置。
【０１６６】
（付記１８）
前記移動端末のハンドオーバにおいて移動先の基地局装置がオフロード機能を具備する基地局である場合、オフロード経路の接続要求を、直接又は第１のネットワークを経由して前記スイッチに送信する手段を備え、前記接続要求は、前記スイッチから前記制御装置に送信され、接続処理が行われ、前記スイッチを介して前記オフロード経路と第２のネットワークが接続される、付記１７記載の基地局装置。
【０１６７】
（付記１９）
前記移動端末のハンドオーバにおいて移動元の基地局装置がオフロード機能を具備する基地局であり、オフロード経路が接続されている場合、前記オフロード経路の切断要求を前記スイッチに送信する手段を備えている、付記１７又は１８記載の基地局装置。
【０１６８】
（付記２０）
第１のネットワークの関門ノードと第２のネットワーク間に配設されたスイッチを制御する制御装置であって、
基地局装置から、前記第１のネットワークを迂回するオフロード経路の接続要求を、前記スイッチを受け取ると、前記基地局装置から前記オフロード経路に転送されたパケットを前記第２のネットワーク向けに転送し、且つ、前記第２のネットワークからのパケットを前記オフロード経路を介して前記ノードに転送するように、前記スイッチを設定し、接続応答を前記基地局装置に返す手段と、
前記基地局装置から、前記オフロード経路の切断要求を、前記スイッチを受け取ると、前記第１のネットワークの前記関門ノードを前記第２のネットワークに接続するように、前記スイッチを設定し、切断応答を前記基地局装置に返す手段と、を備えた制御装置。
【０１６９】
なお、上記非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各付記の各要素、各実施例の各要素、各図面の各要素等を含む）の多様な組み合わせ、乃至選択が可能である。すなわち、本発明は、請求の範囲を含む全開示、技術的思想にしたがって当業者であればなし得るであろう各種変形、修正を含むことは勿論である。
【符号の説明】
【０１７０】
１０１  移動端末（ＵＥ）
１０２、１０２−１、１０２−２  基地局（オフロード機能付基地局ｅＮＢ＋ＴＯＦ）
１０２ａ  基地局（オフロード機能無し基地局）
１０２Ｓ  基地局（オフロード機能付基地局ｅＮＢ＋ＴＯＦ＋ＳＷ）
１０３  Ｓ／Ｐ−ＧＷ
１０３Ｓ  ＳＧＷ
１０３Ｐ  ＰＧＷ
１０４  ＰＤＮ
１０５  ＯＦＳ
１０６、１０６Ａ  ＯＦＣ
１０７、１２７、１３７  オフロード経路
１０８  ＲＡＤＩＵＳ
１０９、１０９−１、１０９−２  ルータ
１１０  局舎
１１１、１１１−２  レイヤ２スイッチ
１１１Ｓ  スイッチ
１１２  ＭＭＥ
１１３  ＰＣＲＦ
１１４  ＨＳＳ／ＡＡＡ
１１５  ルータ
１２１  ＵＥ
１２２  ＮＢ（ＮｏｄｅＢ）
１２３  ＲＮＣ
１２４  ＴＯＦ
１２５  ＳＧＳＮ
１３１  ＦＡＰ
１３２  Ｉｎｔｅｒｎｅｔ  ＆  Ｂｒｏａｄｂａｎｄ
１３３  Ｆｅｍｔｏ−ＧＷ＋ＴＯＦ
１０２０  無線受信部
１０２１  無線送信部
１０２２  オフロードトラフィック判断部
１０２３  接続要求送信／接続応答受信部
１０２４  切断要求送信／切断応答受信部
１０２５  オフロードトラフィック送受信部
１０２６  ハンドオーバ処理部
１０２７  切断制御部
１０２８  トラフィック送受信部
１０３１  Ｓ１−Ｕインタフェース
１０３２  ＶＬＡＮインタフェース
１０３３  Ｓ１−ＭＭＥインタフェース
１０３４  Ｘ２インタフェース
１０６１  パケット送受信部
１０６２  経路計算部
１０６３  フローテーブル設定部
１０６４  端末情報取得部
１０６５  接続要求処理部
１０６６  切断要求処理部
１０６７  フローテーブル管理部
１０６８  タイマ
１０６９  オフロード制御部
【図１】
2019135865.tif 000003
【図２】
2019135865.tif 000004
【図３】
2019135865.tif 000005
【図４】
2019135865.tif 000006
【図５】
2019135865.tif 000007
【図６】
2019135865.tif 000008
【図７】
2019135865.tif 000009
【図８】
2019135865.tif 000010
【図９】
2019135865.tif 000011
【図１０】
2019135865.tif 000012
【図１１】
2019135865.tif 000013
【図１２】
2019135865.tif 000014
【図１３】
2019135865.tif 000015
【図１４】
2019135865.tif 000016
【図１５】
2019135865.tif 000017
【図１６】
2019135865.tif 000018
【図１７】
2019135865.tif 000019
【図１８】
2019135865.tif 000020
【図１９】
2019135865.tif 000021
【図２０】
2019135865.tif 000022
【図２１】
2019135865.tif 000023